(57)【特許請求の範囲】
【請求項１】
コネクタであって、
第１の本体部分、第１の舌および第２の舌を含む第１の絶縁体であって、前記第１の舌および第２の舌は互いに平行で、前記第１の本体部分から前方に延在し、前記第１の舌は第１の表面、該第１の表面と対向する第２の表面および第１の幅を有し、前記第２の舌は第３の表面および前記第１の幅より小さい第２の幅を有し、前記第１の舌は第１および第２の表面上に配設された複数の第１の受容スロットを含み、複数の第２の受容スロットが前記第３の表面上に配設されるところの、第１の絶縁体と、
前記第１の受容スロット内に配設される複数の第１の端子であって、各第１の端子は板状の嵌合部分および溶接部分を備え、第１の表面上に配設された前記第１の端子の前記嵌合部分は、第２の表面上の嵌合部分に対してオフセットされるところの、複数の第１の端子と、
前記複数の第２の受容スロット内に提供される電力を送信するための少なくとも２つの第２の端子であって、各第２の端子は板状の嵌合部分および溶接部分を備える、少なくとも２つの第２の端子と、
第１の嵌合室および第２の嵌合室を形成する前記第１の絶縁体上に載置される遮蔽筐体であって、前記第１の嵌合室は前記第１の舌の周りに形成されて、これを包囲し、かつ第３の幅を有し、前記第２の嵌合室は前記第２の舌の周りに形成されて、これを包囲し、かつ前記第３の幅より小さい第４の幅を有し、前記第１および第２の嵌合室は互いに連通するところの、遮蔽筐体と、
を備え、
該遮蔽筐体は第１の舌および第２の舌を包囲して第１の受容室を形成し、
留め金部分が前記遮蔽筐体上に配設され、前記コネクタは前記留め金部分に相当する保持部分が配設された第１の保留要素をさらに備えて、該第１の保留要素は前記遮蔽筐体内に固定され、前記第１の本体部分の後部端に当接し、
前記第１の保留要素は基部を含み、前記第１の端子の溶接部分を挿入するための複数の第１の穿孔がその上に配設され、前記基部から上方に延在する突起をさらに含み、少なくとも２つの第２の端子の溶接部分を挿入するための少なくとも２つの第２の穿孔を含む突起が配設され、前記基部の各上部および下部表面は２つの保持部分を含む、
コネクタ。
【請求項２】
前記第１の舌は板状の基部ならびに該基部の２つの側部から遠ざかるように突出する２つのキー状リブを備える、請求項１に記載のコネクタ。
【請求項３】
２つの第２の端子は負の電力入力および正の電力入力に接続されるように構成され、前記負の電力入力と接続するための第２の端子の嵌合部分の端は、正の電力入力と接続するための第２の端子の嵌合部分の端よりも正面に近い位置に配置される、請求項１に記載のコネクタ。
【請求項４】
各第２の端子は嵌合部分と溶接部分との間に配設される固定部分を備え、複数の第２の端子の溶接部分は互いにおよび固定部分の端から遠ざかるように曲げられて、延在し、溶接部分間の距離は嵌合部分間の距離より大きい、請求項１に記載のコネクタ。
【請求項５】
前記遮蔽筐体は、第２の嵌合室を形成する弓状部分を有するように構成され、該弓状部分の両側部上に穴が配設される、請求項１に記載のコネクタ。
【請求項６】
前記コネクタは前記第１の絶縁体上に固定される第１の保留要素をさらに備え、該第１の保留要素は、複数の第１の端子の溶接部分および少なくとも２つの第２の端子が挿入される複数の穿孔を備える、請求項１に記載のコネクタ。
【請求項７】
前記突起は基部の上部表面の後部端から上方向へ延在する垂直壁を備え、頂部板は前記垂直壁の頂部端から前方向に延在し、区画板は前記頂部板の底部から下方向に延在し、少なくとも１つの第２の穿孔が前記垂直壁上の区画板の２つの側部の各々に配設される、請求項１に記載のコネクタ。
【請求項８】
前記遮蔽筐体は頂部板、２つの対向する側部板および底部板を備え、各頂部板および底部板は２つの留め金部分を備える、請求項１に記載のコネクタ。
【請求項９】
前記遮蔽筐体は前記第２の嵌合室を形成するための弓状部分を有するように構成され、該弓状部分の左および右側部上にそれぞれ穴が配設され、前記留め金部分の１つが弓状部分の各側部に配設される、請求項１に記載のコネクタ。
【発明の詳細な説明】
【技術分野】
【０００１】
本発明は電気コネクタに関し、より具体的には、信号および電力を送信するための改善された構造を有するレセプタクル電気コネクタ、プラグ電気コネクタ、および電気コネクタアセンブリに関する。
【背景技術】
【０００２】
従来型電気コネクタアセンブリは信号ケーブルコネクタが電力ケーブルコネクタと組み合わせ可能な、レセプタクル電気コネクタおよび相当するプラグ電気コネクタを備え、そのため、映像資源装置（コンピュータ、ＤＶＤ、ビデオゲーム等）および表示装置（ディスプレイ、ＴＶ、プロジェクタ等）間の映像信号と電力の両方を送信するための電気接続が１本のケーブルを通して達成可能である。
【０００３】
中国特許ＺＬ２００９２０００２１４１．１はプラグ電気コネクタ、レセプタクル電気コネクタ、および電気コネクタアセンブリを開示する。プラグ電気コネクタは、第１の本体および第１の本体上部表面から上方向に延在する第１の突起を有する第１の絶縁筐体を備え、第１の本体は、複数の第１の端子スロットを提供される上部舌および下部舌を有し、第１の突起は２つの第２の端子スロットを提供される。さらに備えられる複数の第１の端子のそれぞれが第１の端子スロット内にそれぞれ提供され、また第１の本体の後部壁から外へ突出するガイド部分を有する。さらに備えられる２つの第２の端子のそれぞれは第２の端子スロット内にそれぞれ提供され、そして第１の突起の正面壁から外に突出する挿入部分と第１の突起の後部壁から外に突出するガイド部分を有する。さらに備えられる第１の金属要素は第１の絶縁筐体を包囲し、そして２つの第２の端子の挿入部分に隣接して側部に第１の嵌合開口を有する。レセプタクル電気コネクタは第２の本体を有する第２の絶縁筐体を備え、第２の突起は第２の本体の上部表面から上方向へ延在し、第３の舌は第２の本体から前方へ延在し、延長部分は第２の突起から前方へ延在し、第３の舌からは間隔を置かれており、複数の第３の端子スロットはそれぞれ第３の舌の上部および下部側部内に提供され、２つの第４の端子スロットは第２の突起および延長部分を通って延在する。さらに備えられる複数の第３の端子のそれぞれは第３の端子スロット内に提供され、そして第３の舌の側部内に接触部分を有する。さらに備えられる２つの第４の端子のそれぞれは第４の端子スロット内にそれぞれ提供され、そして接触部分を有する。さらに備えられる第２の金属要素は第２の絶縁筐体を包囲して第２の嵌合開口を第３の舌に隣接する側部に有する。電気コネクタアセンブリは前述のレセプタクル電気コネクタおよび前述のプラグ電気コネクタを備え、レセプタクル電気コネクタは、第１および第２の嵌合開口を介してプラグ電気コネクタと嵌合されることが可能で、第１の端子および第３の端子は互いに電気的に接続され、２つの第２の端子および２つの第４の端子は互いに電気的に接続されて、それにより、映像信号と電力の両方が同時に送信される。これにより、ケーブルは容易に取り扱われ、空間を節約可能である。
【０００４】
しかしながら、従来型プラグ電気コネクタにおける、電力を送信するための第２の端子の挿入部分は、何等の保護なく露出され、真っ直ぐに延在する。したがって、プラグ電気コネクタ内の第２の端子の挿入部分は、従来型レセプタクル電気コネクタとの嵌合中に、誤栓時にレセプタクル電気コネクタの延長部分によって引き起こされる曲げの理由により容易に損傷する。このように、映像資源装置と表示装置間の電気接続の信頼性は下げられる。さらに、プラグ電気コネクタの第２の端子と嵌合されるレセプタクル電気コネクタにおける第４の端子は、逆Ｕ字型を有し、対向して延在する固定腕によって形成される２つの接触部分である。したがって、第４の端子の接触部分の構造は製造には複雑すぎ、比較的大きな空間を占有し、コンパクト設計を有することはない。さらに、従来型レセプタクルコネクタにおける第３の舌の上部および下部側部上の第３の端子の接触部分は、互いに上および下に整合され、これにより、上部および下部側部の２つの接触部分は互いに面するようにアレンジされる。それゆえに、前述の接触部分のアレンジ方法は信号ノイズを生成しがちで、信号の送信品質を改善するために好都合というわけにはいかない。
【０００５】
それゆえ、従来型電気コネクタの電気コネクタをさらに改善して現行製品への要求を満足させることが必要である。
【発明の概要】
【発明が解決しようとする課題】
【０００６】
本発明によって解決される技術的問題は、前述の従来技術に存在する短所を克服することであり、信号および電力を送信するための改善された構造を有するプラグ電気コネクタ、レセプタクル電気コネクタ、および電気コネクタアセンブリを提供し、それにより、映像資源装置と表示装置間の信号送信品質を改善可能とし、製造に好都合なコンパクト設計を達成可能とすることである。
【課題を解決するための手段】
【０００７】
前述の目的を達成するため、本発明の一態様に従い、レセプタクル電気コネクタが提供され、このレセプタクル電気コネクタは、
第１の絶縁体（１１）であって、第１の本体部分（１１１）を備え、第１の舌（１１２）および第２の舌（１１３）は互いに平行で、第１の本体部分（１１１）から前方に延在し、第１の舌（１１２）は第２の舌（１１３）よりも大きい幅を有し、複数の第１の受容スロット（１１２３）は第１の舌（１１２）の対向する第１および第２の表面（１１２８、１１２９）上に提供され、少なくとも２つの第２の受容スロット（１１３１、１１３２）は第２の舌（１１３）の表面上に提供されるところの、第１の絶縁体と、
信号を送信するための複数の第１の導電性端子（１２）であって、それぞれ第１の受容スロット（１１２３）内に提供され、各第１の導電性端子（１２）は板状の嵌合部分（１２１）ならびに溶接部分（１２２）を提供され、第１の表面（１１２８）上に配置される第１の導電性端子（１２）の嵌合部分（１２１）は第１の舌（１１２）の第２の表面（１１２９）上のものに対してオフセットされるところの、複数の第１の導電性端子と、
電力を送信するための少なくとも２つの第２の導電性端子（１３）であって、少なくとも２つの第２の受容スロット（１１３１、１１３２）内にそれぞれ提供され、各第２の導電性端子（１３）は板状の嵌合部分（１３１）と溶接部分（１３２）を提供されるところの、少なくとも２つの第２の導電性端子と、
第１の絶縁体（１１）上に載置される第１の遮蔽筐体（１４）と、を備え、
第１の舌（１１２）の周りに形成されて、これを包囲する第１の嵌合室（１４５１）は、第２の舌（１１３）の周りに形成されて、これを包囲する第２の嵌合室（１４５２）よりも大きい幅を有し、受容室（１４５）は、互いに連通される第１および第２の嵌合室（１４５１、１４５２）を積み重ねることによって形成される。
【０００８】
本発明の別の態様に従い、プラグ電気コネクタが提供され、このプラグ電気コネクタは、
第２の本体部分（３１１）および第２の本体部分（３１１）の頂部表面から上方向に突出する第２の突起（３１２）を有する第２の絶縁体（３１）であって、第２の本体部分（３１１）の中部は第３の嵌合室（３１７）を提供され、複数の第３の受容スロット（３１１１）は第３の嵌合室（３１７）の上部および下部側部上に提供され、２つの第４の受容スロット（３１２４）は第２の突起（３１２）上に提供されるところの、第２の絶縁体と、
複数の第３の受容スロット（３１１１）内にそれぞれ提供される複数の第３の導電性端子（３２）であって、各第３の導電性端子（３２）は、弾性突起である嵌合部分（３２１）と溶接部分（３２２）を備え、第３の嵌合室（３１７）の上部側部上に配置される第３の導電性端子の嵌合部分（３２１）は第３の嵌合室（３１７）の下部側部上に配置されるものに対してオフセットされるところの、複数の第３の導電性端子と、
２つの第４の受容スロット（３１２４）内にそれぞれ提供される、電力を送信するための２つの第４の導電性端子（３３）であって、各第４の導電性端子（３３）は、弾性突起である嵌合部分（３３１）と溶接部分（３３２）を備える、２つの第４の導電性端子と、
第２の絶縁体（３１）の周囲を包囲する第２の遮蔽筐体（３４）であって、第４の嵌合室（３１８）は第２の突起（３１２）を包囲する第２の遮蔽筐体（３４）によって形成され、第４の導電性端子（３３）の嵌合部分（３３１）は、第４の受容スロット（３１２４）から第４の嵌合室（３１８）に向かって突出する、第２の遮蔽筐体と、を備える。
【０００９】
本発明はさらに電気コネクタアセンブリを提供し、この電気コネクタアセンブリは、
レセプタクル電気コネクタ（１）であって、
第１の本体部分（１１１）を備える第１の絶縁体（１１）であって、第１の舌（１１２）および第２の舌（１１３）は互いに平行で、第１の本体部分（１１１）から前方へ延在し、第１の舌（１１２）は第２の舌（１１３）より大きい幅を有し、複数の第１の受容スロット（１１２３）は第１の舌（１１２）の対向する第１および第２の表面（１１２８、１１２９）上に提供され、少なくとも２つの第２の受容スロット（１１３１、１１３２）は第２の舌（１１３）の表面上に提供される、第１の絶縁体と、
第１の受容スロット（１１２３）内にそれぞれ提供される信号を送信するための複数の第１の導電性端子（１２）であって、各第１の導電性端子（１２）は板状の嵌合部分（１２１）ならびに溶接部分（１２２）を提供され、第１の表面（１１２８）上に配置される第１の導電性端子（１２）の嵌合部分（１２１）は第１の舌（１１２）の第２の表面（１１２９）上のものに対してオフセットされる、複数の第１の導電性端子と、
第２の受容スロット（１１３１、１１３２）内にそれぞれ提供される、電力を送信するための少なくとも２つの第２の導電性端子（１３）であって、各第２の導電性端子（１３）は板状の嵌合部分（１３１）と溶接部分（１３２）を提供される、少なくとも２つの第２の導電性端子と、
第１の絶縁体（１１）上に載置される第１の遮蔽筐体（１４）と、を備え、
第１の舌（１１２）の周りに形成されて、これを包囲する第１の嵌合室（１４５１）は、第２の舌（１１３）の周りに形成されて、これを包囲する第２の嵌合室（１４５２）より大きい幅を有し、受容室（１４５）は互いに連通される第１および第２の嵌合室（１４５１、１４５２）を積み重ねることによって形成される、レセプタクル電気コネクタ（１）と、
プラグ電気コネクタ（３）であって、
第２の本体部分（３１１）を有する第２の絶縁体（３１）であって、第２の本体部分（３１１）の中部は第３の嵌合室（３１７）を提供され、複数の第３の受容スロット（３１１１）は第３の嵌合室（３１７）の上部および下部側部上に提供される、第２の絶縁体と、
複数の第３の受容スロット（３１１１）内にそれぞれ提供される複数の第３の導電性端子（３２）であって、各第３の導電性端子（３２）は弾性突起である嵌合部分（３２１）と溶接部分（３２２）を備え、第３の嵌合室（３１７）の上部側部上に配置される第３の導電性端子の嵌合部分（３２１）は、第３の嵌合室（３１７）の下部側部上に配置されるものに対してオフセットされる、複数の第３の導電性端子と、
第２の絶縁体（３１）の周囲を包囲する第２の遮蔽筐体（３４）と、を備え、
レセプタクル電気コネクタ（１）の第１の舌（１１２）はプラグ電気コネクタ（３）の第３の嵌合室（３１７）と嵌合されて、それにより、複数の第１の導電性端子（１２）は複数の第３の導電性端子（３２）と電気的に接続され、映像信号を送信する、プラグ電気コネクタ（３）と、を備える。
【００１０】
従来技術と比較し、本出願に従うプラグ電気コネクタ、レセプタクルコネクタ、および電気コネクタアセンブリは、以下の有利な効果を有する。
【００１１】
プラグ電気コネクタ内の第４の導電性端子の嵌合部分は、弾性突起形状を有するように構成され、第２の突起の第４の受容スロット内に部分的に受容されて上方向に突出し、それにより、第４の導電性端子の嵌合部分は第２の突起によって保護可能である。それゆえ、プラグ電気コネクタ内の第４の導電性端子の嵌合部分は、レセプタクル電気コネクタとの嵌合中に、容易には曲げられたり、損傷を受けることはない。
【００１２】
レセプタクル電気コネクタ内の第２の導電性端子の嵌合部分は、板形状を有し、第２の舌の表面の第２の受容スロット内に受容され、それにより、第２の導電性端子の嵌合部分は比較的簡素な構造を有し、容易に製造され、コンパクトな設計を有する。
【００１３】
レセプタクル電気コネクタ内の第１の導電性端子の上部列の嵌合部分は、第１の導電性端子の下部列のものに対してオフセットされ、プラグ電気コネクタ内の第３の導電性端子の上部列の嵌合部分も第３の導電性端子の下部列のものに対してオフセットされて、信号ノイズは削減可能であり、映像資源装置と表示装置間の信号送信品質を改善可能である。
【図面の簡単な説明】
【００１４】
【図１】本発明に従う電気コネクタアセンブリの第１の実施形態ならびに回路基板を示す斜視図で、プラグ電気コネクタを有するケーブルコネクタと回路基板内のレセプタクル電気コネクタは互いに嵌合状態を示す図である。
【図２】本発明に従う電気コネクタアセンブリの第１の実施形態ならびに回路基板を示す斜視図で、プラグ電気コネクタを有する第１のケーブルコネクタと回路基板内のレセプタクル電気コネクタは、第１の表示角度において互いに分離状態を示す図である。
【図３】本発明に従う電気コネクタアセンブリの第１の実施形態ならびに回路基板を示す別の斜視図で、プラグ電気コネクタを有する第１のケーブルコネクタと回路基板内のレセプタクル電気コネクタは、第２の表示角度において互いに分離状態を示す図である。
【図４】本発明に従うレセプタクル電気コネクタおよび回路基板の第１の実施形態示す分解組立図である。
【図５】本発明に従うレセプタクル電気コネクタの第１の実施形態を示す正面図である。
【図６】本発明に従うレセプタクル電気コネクタの第１の実施形態を示す背面図である。
【図７】図６のＢ−Ｂ方向における断面図である。
【図８】本発明に従うレセプタクル電気コネクタの第１の実施形態を示す斜視図である。
【図９】本発明に従うレセプタクル電気コネクタの第１の実施形態を示す分解組立図である。
【図１０】本発明に従う、第１の表示角度における、レセプタクル電気コネクタの第１の実施形態を示すさらなる分解組立図である。
【図１１】本発明に従う、第２の表示角度における、レセプタクル電気コネクタの第１の実施形態を示すさらなる分解組立図である。
【図１２】本発明に従う、第２の表示における、レセプタクル電気コネクタの第１の実施形態を示す別の分解組立図である。
【図１３】プラグ電気コネクタおよび絶縁体外部筐体、金属内部筐体およびケーブルの第１の実施形態を示す、分解組立図である。
【図１４】図１３のさらなる分解組立図である。
【図１５】本発明に従うプラグ電気コネクタの第１の実施形態を示す正面図である。
【図１６】図１５のＡ−Ａ方向における断面図である。
【図１７】本発明に従うプラグ電気コネクタの第１の実施形態の斜視図である。
【図１８】本発明に従うプラグ電気コネクタの第１の実施形態の分解組立図である。
【図１９】本発明に従うプラグ電気コネクタの第１の実施形態のさらなる分解組立図である。
【図２０】本発明に従う、互いに取り付けられた、レセプタクル電気コネクタと封止キャップの第２の実施形態を示す斜視図である。
【図２１】本発明に従う、レセプタクル電気コネクタと封止キャップの第２の実施形態を示す分解組立図である。
【図２２】本発明に従うレセプタクル電気コネクタの第２の実施形態の正面図である。
【図２３】図２２のＡ−Ａ方向における断面図である。
【図２４】本発明に従うレセプタクル電気コネクタの第２の実施形態を示す分解組立図である。
【図２５】図２４に基づく第１の表示角度における、さらなる分解組立図である。
【図２６】図２４に基づく第２の表示角度における、さらなる分解組立図である。
【図２７】本発明に従うレセプタクル電気コネクタの第３の実施形態の斜視図である。
【図２８】本発明に従うレセプタクル電気コネクタの第３の実施形態の正面図である。
【図２９】本発明に従うレセプタクル電気コネクタの第３の実施形態の分解組立図である。
【図３０】本発明に従うレセプタクル電気コネクタの第３の実施形態のさらなる分解組立図である。
【図３１】本発明に従うレセプタクル電気コネクタの第３の実施形態の別の分解組立図である。
【図３２】本発明に従うレセプタクル電気コネクタの第４の実施形態の正面図である。
【図３３】本発明に従う、第１の表示角度における、レセプタクル電気コネクタの第４の実施形態の分解組立図である。
【図３４】本発明に従う、第２の表示角度における、レセプタクル電気コネクタの第４の実施形態の分解組立図である。
【図３５】本発明に従うレセプタクル電気コネクタの第４の実施形態の、第１の絶縁体と導電性端子の組み合わせを示す側面図である。
【図３６】図３５のＡ−Ａ方向における断面図である。
【図３７】本発明に従うレセプタクル電気コネクタの第４の実施形態のさらなる分解組立図である。
【図３８】図３７をベースにした、さらなる分解組立図である。
【図３９】本発明に従うレセプタクル電気コネクタの第５の実施形態の斜視図である。
【図４０】本発明に従うレセプタクル電気コネクタの第５の実施形態の正面図である。
【図４１】図４０のＡ−Ａ方向における断面図である。
【図４２】本発明に従うレセプタクル電気コネクタの第５の実施形態の分解組立図である。
【図４３】図４２に基づくさらなる分解組立図である。
【図４４】遮蔽筐体を取り除いた後の、本発明に従うレセプタクル電気コネクタの第５の実施形態の分解組立図である。
【図４５】図４４をベースにしたさらなる分解組立図である。
【図４６】本発明に従うレセプタクル電気コネクタの第６の実施形態の斜視図である。
【図４７】本発明に従う、別の表示角度における、レセプタクル電気コネクタの第６の実施形態の斜視図である。
【図４８】本発明に従うレセプタクル電気コネクタの第６の実施形態の正面図である。
【図４９】図３のＡ−Ａ方向における断面図である。
【図５０】本発明に従うレセプタクル電気コネクタの第６の実施形態の分解組立図である。
【図５１】第１の遮蔽筐体が省略された、本発明に従うレセプタクル電気コネクタの第６の実施形態のさらなる分解組立図である。
【図５２】本発明に従う、第１のケーブルコネクタと嵌合する、レセプタクル電気コネクタの第６の実施形態を示す斜視図であり、本発明の第１の実施形態に従うプラグ電気コネクタが第１のケーブルコネクタの正面に提供されている図である。
【図５３】本発明に従う、第２のケーブルコネクタと嵌合する、レセプタクル電気コネクタの第６の実施形態を示す斜視図であり、本発明の第２の実施形態に従うプラグ電気コネクタが第２のケーブルコネクタの正面に提供されている図である。
【図５４】図５３に示される第２のケーブルコネクタの斜視図である。
【図５５】図５４に示される第２のケーブルコネクタの正面図である。
【図５６】本発明に従うレセプタクル電気コネクタおよび第２のケーブルコネクタの第６の実施形態を示す分解組立図である。
【図５７】図５６のＺ−Ｚ方向における断面図である。
【図５８】本発明に従うレセプタクル電気コネクタの第７の実施形態の斜視図である。
【図５９】本発明に従うレセプタクル電気コネクタの第７の実施形態の正面図である。
【図６０】図５９のＡ−Ａ方向における断面図である。
【図６１】本発明に従うレセプタクル電気コネクタの第７の実施形態の分解組立図である。
【図６２】本発明に従うレセプタクル電気コネクタの第７の実施形態のさらなる分解組立図である。
【図６３】本発明に従うレセプタクル電気コネクタの第８の実施形態の斜視図である。
【図６４】本発明に従うレセプタクル電気コネクタの第８の実施形態の正面図である。
【図６５】図６４のＢ−Ｂ方向における断面図である。
【図６６】本発明に従うレセプタクル電気コネクタの第８の実施形態における第３の受容スロットと嵌合するように適合化された第３のケーブルコネクタの斜視図で、本発明の第３の実施形態に従うプラグ電気コネクタが前記第３のケーブルコネクタの正面に提供されている図である。
【図６７】図６６に示されるケーブルコネクタの正面図である。
【図６８】図６７のＣ−Ｃ方向における断面図である。
【図６９】本発明に従うレセプタクル電気コネクタの第９の実施形態の斜視図である。
【図７０】本発明に従うレセプタクル電気コネクタの第９の実施形態の正面図である。
【図７１】本発明に従うレセプタクル電気コネクタの第９の実施形態の分解組立図である。
【図７２】本発明に従うレセプタクル電気コネクタの第９の実施形態のさらなる分解組立図である。
【発明を実施するための形態】
【００１５】
本発明は実施形態のさまざまな形式において敏感であり得るが、開示は本出願の原理の例示として考慮されること、そして特定の実施形態が図中に示され、また本明細書中に詳細に記述されるが、本発明を図解されたように限定する意図はないことを理解されたい。
【００１６】
図中に図解される実施形態において、本出願のさまざまな要素の構造及び動きを説明するために使用される、上、下、左、右、正面、および後部等の方向の表現は、絶対的ではなく、相対的である。これらの表現は要素が図に示される位置にある時には適切である。しかしながら、要素の位置の記述が変わる場合は、これらの表現はそれに従って変更されることとする。
【００１７】
図１〜４に示されるように、本発明の第１の実施形態に従う電気コネクタアセンブリは、互いに嵌合するレセプタクル電気コネクタ１とプラグ電気コネクタ３を備える。レセプタクル電気コネクタ１は映像資源装置（示されない）または表示装置（示されない）の回路基盤２に溶接可能であり、プラグ電気コネクタ３は、第１のケーブルコネクタを形成するように、絶縁外部筐体４およびケーブル５と組み合わせられてもよい。レセプタクル電気コネクタ１とプラグ電気コネクタ３は互いに嵌合し、映像信号と電力を映像資源装置と表示装置の間で送信可能である。
【００１８】
＜レセプタクル電気コネクタの第１の実施形態＞
【００１９】
図５〜１２に示されるように、レセプタクル電気コネクタ１は第１の絶縁体１１を備え、複数の第１の導電性端子１２と２つの第２の導電性端子１３は第１の絶縁体１１上に載置され、第１の遮蔽筐体１４は第１の絶縁体１１の外側に載置され、第１の保留要素１５は第１の絶縁体１１の後部端上に載置される。
【００２０】
第１の絶縁体１１は第１の本体部分１１１と、第１の本体１１１から前方に延在する第１の舌１１２および第２の舌１１３を備える。第１の本体部分１１１は、上方に突出し、比較的狭い幅を有する第１の突起１１６を有する。第１の舌１１２は第１の本体部分１１１の中部から前方に延在し、第２の舌１１３は第１の突起１１６から前方に延在する。第１の絶縁体１１は第１の本体部分１１１の底部から前方に延在する底部板１１４をさらに備え、保留板固定部分１１５が第１の本体部分１１１の底部の後部端上に提供される。
【００２１】
図５を参照すると、第１の舌１１２は、板状の基部１１２１とそれぞれ基部１１２１の左および右側部縁から下方に突出する２つの誤栓阻止リブ１１２２を備える。複数の第１の受容スロット１１２３が、基部１１２１の対向する上部および下部表面（対向する第１および第２の表面）上に提供される。第１の舌１１２は、標準ＤＰ（ディスプレイポート）タイププラグ電気コネクタと嵌合されることが可能である。第１の舌１１２の２つの誤栓阻止リブ１１２２は、他方の異なるタイプのプラグがレセプタクル電気コネクタ１に誤って挿入されることを阻止し、第１の遮蔽筐体１４が破壊されるのを阻止可能である。
【００２２】
第１および第２の舌１１２および１１３は、互いに平行となるように構成され、上部および下部の関係にアレンジされる。第１の舌１１２は第２の舌１１３のＷ２より大きい幅Ｗ１を有し、嵌合プラグ電気コネクタ３が誤ってレセプタクル電気コネクタ１上に挿入されることを効果的に阻止可能である。
【００２３】
図１２を参照すると、２つの第２の受容スロット１１３１、１１３２が第２の舌１１３の下部表面上に提供される。第２の受容スロット１１３１の最も正面端は、第２の受容スロット１１３２のものよりもより正面の位置に配置される。
【００２４】
第１の導電性端子１２は上部列と下部列とに分割可能である。各第１の導電性端子１２は、板状の嵌合部分１２１、溶接部分１２２、および嵌合部分１２１と溶接部分１２２の間に接続される固定部分１２３を有する。第１の導電性端子１２の嵌合部分１２１は、高精細映像信号を送信するための、第１の舌１１２の基部１１２１の上部および下部表面上に配置される第１の受容スロット１１２３内に提供される。また図５を参照し、第１の舌１１２の上部表面上に配置される第１の導電性端子１２の嵌合部分１２１は、第１の舌１１２の下部表面上のものに対してオフセットされ、すなわち、嵌合部分１２１は上部および下部方向において、互いに面するか、または整列されず、それにより、第１の導電性端子の上部列の嵌合部分１２１と第１の導電性端子の下部列のものとの間の距離は、増加可能で、したがって、高周波数データ送信中の信号ノイズが削減され、信号送信品質が改善される。
【００２５】
各第２導電性端子１３は、板状の嵌合部分１３１、溶接部分１３２、および嵌合部分１３１と溶接部分１３２の間に接続される固定部分１３３を備える。相当する第２の受容スロット１１３１内に受容される１つの第２の導電性端子１３は、電力源の負極と接続するために使用され、相当する第２の受容スロット１１３２内に受容される他方は、電力源の正極と接続するために使用される。電力源の負極に接続される一方の第２の導電性端子１３の嵌合部分１３１の末端１３１１は、電力源の正極に接続される他方の第２の導電性端子１３の嵌合部分１３１の末端１３１２よりも正面に近い位置に配置される。２つの第２の導電性端子１３は、表示装置によって必要とされる電力を送信するために使用され、表示装置の１つの分離電源ケーブルを節約する。さらに、図６および１２を参照すると、２つの第２の導電性端子１３の２つの溶接部分１３２が互いに遠ざかる方向に曲げられ、延在されており、それにより、２つの溶接部分１３２間の距離は２つの第２の導電性端子１３の２つの嵌合部分１３１間より大きい。
【００２６】
図９〜１１を参照すると、第１の遮蔽筐体１４は金属板を押し抜いて形成され、小上部部分および大下部部分を備える形状を有する。第１の遮蔽筐体１４は頂部板１４１、頂部板１４１の左および右側部から曲がり、下方に延在する２つの側部板１４２、互いの方向に２つの側部板１４２を水平に曲げ、延在させ、そして最後に互いに係合させて形成される底部板１４３、および側部板１４２から下方に延在する４つの固定脚１４４を備える。逆Ｕ字型の弓状部分１４１１は頂部板１４１の中部から上方へ延在する。
【００２７】
図５を参照し、第１の遮蔽筐体１４は第１および第２の舌１１２および１１３を包囲して、小上部部分および大下部部分の形状の受容室１４５が形成される。受容室１４５は、上方向および下方向に積み重ねられ、互いに連通される第１の嵌合室１４５１および第２の嵌合室１４５２（図５の点線によって示される）を備える。第１の舌１１２は、標準ＤＰプラグが挿入可能な第１の嵌合室１４５１内に受容される。第２の舌１１３は、第１の嵌合室１４５１の上に配置され、第１の嵌合室１４５１よりもずっと狭い幅を有する第２の嵌合室１４５２内に受容される。正面から後部方向へ延在する係合線１４３１は、第１の遮蔽筐体１４の底部上に形成される。第１の絶縁体１１の底部板１１４は、第１の遮蔽筐体１４の係合線１４３１の下から第１の遮蔽筐体１４を支持し、係合線１４３１第１の遮蔽筐体１４が、長期間レセプタクルコネクタを使用した後のひずみにより、破壊および拡幅するのを阻止する。
【００２８】
図１０を参照すると、第１の遮蔽筐体１４は、弓状部分１４１１の各左および右側部上に穴１４１４が提供される。頂部板１４１は、弓状部分１４１１の各左および右側部上に後部から正面へ延在する弾性留め金腕１４１５を提供される。底部板１４３は、各左および右側部上に後部から正面へ延在する弾性留め金腕１４３５を提供される。各２つの側部板１４２は、正面から後部へ延在する弾性留め金腕１４２５を提供される。これらの弾性留め金腕１４１４、１４２５、１４３５は、プラグ電気コネクタ３の異なる深さにおいて異なる側部および位置上に留め金可能で、係合強さを改善する。
【００２９】
図１０および１１を参照すると、第１の保留要素１５は、板状の基部１５１、基部１５１の後部端の中部から後方へ突出する突起１５２、および基部１５１の２つの側部上に提供される２つの絶縁体固定部分１５３を備える。基部１５１は上方向および下方向に連通される複数の穿孔１５１１を提供され、それを通って、複数の第１の導電性端子１２の溶接部分１２２が挿入される。突起１５２は上部方向および下部方向において連通される２つの第２の穿孔１５２１を提供され、それを通して、２つの第２の導電性端子１３の溶接部分１３２が挿入される。絶縁体固定部分１５３は絶縁体１１内の保留板固定部分１１５と嵌合されて、第１の保留要素１５が第１の絶縁体１１の後部端上に固定される。第１の保留要素１５は第１および第２の導電性端子１２および１３と嵌合されて、第１および第２の導電性端子１２および１３が不適切に曲がることを阻止する。
【００３０】
図４を参照すると、レセプタクル電気コネクタ１が溶接された回路基板２が、複数の第１の導電性端子１２の溶接部分１２２に相当する複数の第１の溶接穴２１が提供され、２つの第２の溶接穴２２は２つの第２の導電性端子１３の溶接部分１３２に相当し、４つの固定穴２３は第１の遮蔽筐体１４の４つの固定脚１４４に相当する。
【００３１】
レセプタクル電気コネクタ１の組み立て手順は以下の通りである。第１に第１および第２の導電性端子１２および１３を、後部から正面への方向で、第１の絶縁体１１に挿入する。第１の保留要素１５を第１の導電性端子１２の溶接部分１２２ならびに第２の導電性端子１３の溶接部分１３２と整合させ、第１の保留要素１５を、上から下への方向で、第１の保留要素１５の絶縁体固定部分１５３が第１の絶縁体１１の保留板固定部分１１５と嵌合されるまで挿入し、それにより、第１の保留要素１５が第１の絶縁体１１と留め金される。そしてその後、前述の形成されたアセンブリを、後部から正面への方向で、第１の遮蔽筐体１４の受容室１４５内に載置する。最後に、第１の遮蔽筐体１４の後部端上に配置される固定部分１４６を図１１に示される形に曲げ、前述のアセンブリを第１の遮蔽筐体１４内に固定する。
【００３２】
＜プラグ電気コネクタの第１の実施形態＞
【００３３】
図１３および１４を参照すると、プラグ電気コネクタ３はケーブル５と電気的に接続可能である。プラグ電気コネクタ３、プラグ電気コネクタ３とケーブル５の間の接続位置を覆っている金属内部筐体６、および絶縁外部筐体４は一体に組み立てられてケーブルコネクタを形成する。絶縁外部筐体４は上部筐体４１と下部筐体４２で構成され、互いに留め金されている。金属内部筐体６も上部筐体６１と下部筐体６２で構成され、互いに留め金されている。
【００３４】
図１７を参照すると、プラグ電気コネクタ３は第２の絶縁体３１、および第２の絶縁体３１上に載置される複数の第３の導電性端子３２および２つの第４の導電性端子３３を備え、第２の遮蔽筐体３４は第２の絶縁体３１の外側に載置され、第２の保留要素３５は第２の絶縁体３１の後部端上に載置され、２つの鉤３６は第２の絶縁体３１上に載置される。各鉤３６は鉤部分３６２を有し、その正面端において弾性的に上方向および下方向へ移動可能である。
【００３５】
図１８および１９を参照すると、第２の絶縁体３１は第２の本体部分３１１を備え、第２の突起３１２は第２の本体部分３１１の頂部から上方へ突出する、２つの遮蔽筐体固定部分３１３は第２の本体部分３１１の後部端上に配置され、２つの鉤受容溝３１４はそれぞれ第２の本体部分３１１の正面端の２つの側部上に配置され、２つの鉤固定溝３１５および２つの保留固定部分３１６はそれぞれ第２の本体部分３１１後部端の２つの側部上に配置される。本実施形態においては、遮蔽筐体固定部分３１３はより低い正面とより高い後部を備える傾斜した突起である。第２の突起３１２はより低い正面とより高い後部を備えた段差形状を有し、そして正面に配置される相対的に低い第１部分３１２１および後部に配置される高い第２部分３１２２と、第１および第２の部分３１２１、３１２２が互いに前後に連通される２つの第４の受容スロット３１２４を備える。
【００３６】
図１５を参照すると、第２の本体部分３１１がその中部において第３の嵌合室３１７を提供されている。詳細には、第３の嵌合室３１７は第２の本体部分３１１の正面端から陥没している。第３の嵌合室３１７は、その上部および下部側部にそれぞれ複数の第３の受容スロット３１１１を提供されている。さらに、第３の嵌合室３１７はその各左および右側部において、下方に陥没した誤栓阻止溝３１９を提供されている。
【００３７】
図１６を参照すると、各第４の受容スロット３１２４の正面半分部は第２の突起３１２の第１の部分３１２１の頂部から下方に陥没した溝３１２５である。第２の突起３１２は溝３１２５の正面縁において妨害部分３１２６を提供され、妨害部分３１２６の下部側部は前後に走っている。各第４の受容スロット３１２４の後部半分部は貫通溝３１２８で、溝３１２５と前後に接続され、第２の突起３１２の第２の部分３１２２と連通される。
【００３８】
複数の第３の導電性端子３２は、嵌合部分３２１、溶接部分３２２、および嵌合部分３２１と溶接部分３２２の間に接続される固定部分３２３を備える。嵌合部分３２１は弾性的で、弓状突起形状を有する。これらの第３の導電性端子３２の嵌合部分３２１は、第３の嵌合室３１７の上部および下部側部上の第３の受容スロット３１１１に挿入され、高精細映像信号を送信する。第３の嵌合室３１７の上部側部上の第３の導電性端子３２の嵌合部分３２１は、第３の嵌合室３１７の下部側部上のものに対してオフセットされ、信号の干渉を削減する。
【００３９】
図１６を参照すると、表示装置が必要とする電力を送信するために、２つの第４の導電性端子３３が使用される。各第４の導電性端子３３は、嵌合部分３３１、溶接部分３３２、および嵌合部分３３１と溶接部分３３２の間に接続される固定部分３３３を備える。嵌合部分３３１は弾性的で、弓状突出形状を有し、第２の突起３１２の第４の受容スロット３１２４の溝３１２５内に挿入され、妨害部分３１２６の後端上に配置される。妨害部分３１２６は、レセプタクル電気コネクタ１が挿入されたときに嵌合部分３３１が損傷されるのを保護することが可能である。嵌合部分３３１は上方および下方に移動可能な自由端３３１１を有する。この自由端は妨害部分３１２６の下部側部に弾性的に当接する。第４の受容スロット３１２４は第４の導電性端子３３の嵌合部分３３１の自由端３３１１の下の底部上に、下方に陥没した陥没部分３１２７を提供される、嵌合部分３３１の自由端３３１１の移動可能空間を増加させる。第４の導電性端子３３の固定部分３３３は、第４の受容スロット３１２４の後端上に配置される貫通溝３１２８内へ留め金される。
【００４０】
図１８を参照すると、第２の遮蔽３４が金属板をプレスすることによって形成され、頂部板３４１、頂部板３４１から下方に曲がって延在する２つの側部板３４２、互いの方向に２つの側部板３４２を曲げ、次に互いに係合して形成される底部板３４３、および頂部板３４１および底部板３４３から後方に突出する４つの絶縁体固定部分３４４を備える。本実施形態に関しては、絶縁体固定部分３４４は４つの穴である。第２の遮蔽筐体３４の頂部板３４１、２つの側部板３４２、および底部板３４３は、小上部部分および大下部部分を備えた形状の受容室３４５を包囲する。頂部板３４１は、中部において上方へ突出する逆Ｕ字型弓状部分３４１１、ならびに正面において各左および右側部において鉤溝３４１２を提供される。２つの鉤３６の鉤部分３６２は、それぞれ第２の遮蔽筐体３４の上部表面の２つの側部上で、鉤溝３４１２から上方へ延在する。第２の遮蔽筐体３４の弓状部分３４１１と第２の絶縁体３１の第２の突起３１２は、第４の嵌合室３１８を包囲する。第４の導電性端子３３の嵌合部分３３１は、第４の受容スロット３１２４から第４の嵌合室３１８へ向かって上方に延在する。第３の嵌合室３１７と第４の嵌合室３１８は、第２の絶縁体３１によって間隔を置かれ、互いに連通されることはない。第３の嵌合室３１７は第４の嵌合室３１８よりも大きい幅を有する。
【００４１】
第２の保留要素３５は、前後に通る貫通穴３５１を提供され、複数の溶接ラインチャネル３５２がこれらの貫通穴の後端に配置される。これらの３つの導電性端子３２および４つの導電性端子３３は貫通穴３５１を通って後方に延在し、その溶接部分３２２、３３２は溶接ラインチャネル３５２内へ受容されて、ケーブル５内のワイヤとの溶接が容易化される。
【００４２】
プラグ電気コネクタ３の組み立て手順は以下のようになる。第３の導電性端子３２および第４の導電性端子３３を第２の絶縁体３１の第３の受容スロット３１１１および第４の受容スロット３１２４へ後部から正面へ挿入する。次に第２の保留要素３５を後部から正面へ第２の絶縁体３１１の後端上に載置する。最後に、第２の遮蔽筐体３４の絶縁体固定部分３４４が第２の絶縁体３１の遮蔽筐体固定部分３１３に留め金されるまで、前述の形成されたアセンブリを後部から正面へ向かって受容室３４５内へ挿入する。
【００４３】
実際の適用においては、前述のレセプタクル電気コネクタ１およびプラグ電気コネクタ３が互いに嵌合されると、レセプタクル電気コネクタ１の第１および第２の舌１１２および１１３は、それぞれプラグ電気コネクタ３の第３および第４の嵌合室３１７および３１８と合わされ、複数の第１の導電性端子１２および複数の第３の導電性端子３２、ならびに複数の第２の導電性端子１３および２つの第４の導電性端子３３が電気的に接続され、映像資源装置と表示装置間の映像信号と電力の送信を実現する。本実施形態に関しては、２つの第２の導電性端子１３は表示装置に電源（１２Ｖ、３Ａ）を提供可能で、表示装置を駆動する。他の実施形態においては、第２の導電性端子１３の数およびサイズを増やし、表示装置に対してより高い電源を供給してもよい。
【００４４】
さらに、本実施形態に従うレセプタクル電気コネクタ１は標準ＤＰタイププラグ電気コネクタ（示されない）との嵌合が可能で、第２の突起３１２、第４の導電性端子３３、および第２の遮蔽筐体３４の弓状部分３４１１を省略することによってプラグ電気コネクタ３と見做されることが可能であり、それにより、映像資源装置と表示装置間の映像信号送信を実現し、レセプタクル電気コネクタ１の下位互換性を確保する。
【００４５】
従来型コネクタとの比較において、本発明の第１の実施形態に従うプラグ電気コネクタ、レセプタクル電気コネクタ、および電気コネクタアセンブリは以下の有利な効果を有する。
【００４６】
レセプタクル電気コネクタ１の２つの第２の導電性端子１３の嵌合部分１３１は前後にアレンジされ、末端１３１１が正面により近い一方の第２の導電性端子１３が映像資源装置の電源の負極と接続するために使用され、後部により近い末端１３１２を有する別の第２の導電性端子１３は映像資源装置の電源の正極と接続するために使用される。このようにアレンジすることにより、プラグ電気コネクタ３が表示装置内のレセプタクル電気コネクタ１から切り離されるとき、プラグ電気コネクタ３は電源の正極と接続される第２の導電性端子１３の末端１３１２から最初に切り離され、次に電源の負極と接続される第２の導電性端子１３の末端１３１１から切り離され、それにより、表示装置内に残る正電荷は、遅れて切り離される電源の負極と接続される第２の導電性端子１３を介して外方向へ放電可能である。それゆえ、表示装置はホットプラグに対する正常の動作および利点を確保し得る。
【００４７】
レセプタクル電気コネクタ１内の２つの第２の導電性端子１３の２つの溶接部分１３２間の距離は、２つの嵌合部分１３１間のものより大きく、したがって、２つの嵌合部分１３１間の距離は削減可能であるが、他方では、比較的大きい直径を有する２つの第２の溶接穴２２は回路基板２上に長所をもって形成可能であり、それゆえ、第２の導電性端子１３は外電流環境の中で適用可能である。レセプタクル電気コネクタ１上の第２の導電性端子１３の嵌合部分１３１は、板形状を有し、第２の舌１１３の下部表面上に配置される第２の受容スロット１１３１、１１３２内へ受容され、したがって、第２の導電性端子１３の嵌合部分１３１の構造は製造が容易であり、同時に、２つの嵌合部分１３１間の距離は削減可能であり、それゆえ、第２の嵌合室１４５２によって占有される幅を削減する。それゆえ、第１の遮蔽筐体１４の頂部板１４上の２つの留め金腕１４１５は残ることができ、標準ＤＰタイププラグとの下位互換性を有する。
【００４８】
プラグ電気コネクタ３の第２の突起３１２は、２つの第４の受容スロット３１２４を提供され、第４の受容スロット３１２４の嵌合部分３３１は弾性的で突起形状を有し、嵌合部分３３１は第４の受容スロット３１２４から第４の嵌合室３１８に向かって上方に突き出され、それゆえ、第４の導電性端子３３の嵌合部分３３１は第２の突起３１２によって保護可能でレセプタクル電気コネクタ１との嵌合中に容易に曲がらない。
【００４９】
さらに、レセプタクル電気コネクタ１の第１の導電性端子１２の接触部分１２１は、プラグ電気コネクタ３上第３の導電性端子３２の接触部分３２１に対してオフセットされて、送信中に信号ノイズが削減され、信号送信品質を改善する。
【００５０】
明確化のために、前述の第１の実施形態は、標準ＤＰ（ディスプレイポート）電気コネクタをもとに電源供給機能が新しく追加されるＨＰＤＰ（高出力ディスプレイポート）電気コネクタを参照して説明されるが、しかしながら、本発明は他のタイプの電気コネクタ（ＨＤＭＩ電気コネクタ等）にも適用して電源供給機能を追加可能であることに注目されたい。
【００５１】
＜レセプタクル電気コネクタの第２の実施形態＞
【００５２】
本発明に従う、図２２〜２６に示されるレセプタクル電気コネクタの第２の実施形態は、相当する回路基板（示されない）上に垂直に載置されるように適合化されたレセプタクル電気コネクタ１ａである。レセプタクル電気コネクタ１ａは、第１の絶縁体１１ａ、第１の絶縁体１１ａ上に載置される複数の第１の導電性端子１２ａおよび２つの第２の導電性端子１３ａ、第１の絶縁体１１ａ上に載置される第１の遮蔽筐体１４ａ、第１の遮蔽筐体１４ａ上に保持され、第１の絶縁体１１ａの後端に当接される第１の保留要素１５ａを備える。
【００５３】
第１の絶縁体１１ａは、第１の本体部分１１１ａ、第１の本体１１１ａから前方に延在する第１の舌１１２ａおよび第２の舌１１３ａを備える。第１の本体部分１１１ａの各対向する側部表面は、２つの第１の保留部分１１１８ａを提供される。
【００５４】
第１の舌１１２ａは板状のそれぞれ基部１１２１ａならびにそれぞれ基部１１２１ａの左および右側部縁から下方に突き出る２つの誤栓阻止リブ１１２２ａを備える。第１の舌１１２ａの２つの誤栓阻止リブ１１２２ａは、他の異なるタイプのプラグが本来のレセプタクル電気コネクタ１ａに誤って挿入されることを阻止可能である。第１の舌１１２ａの基部１１２１ａは、互いに対向する第１の表面１１２８ａおよび第２の表面１１２９ａを備える。第１の表面１１２８ａは上方に面するように構成され、第２の表面１１２９ａは下方に面するように構成される。各第１および第２の１１２８ａおよび１１２９ａは、複数の第１の受容スロット１１２３ａを提供される。第１の舌１１２ａは標準ＤＰ（ディスプレイポート）タイププラグ電気コネクタと嵌合されることが可能である。
【００５５】
第１および第２の舌１１２ａおよび１１３ａは、互いに平行に、そして上部および下部関係にアレンジされるように構成される。第１の舌１１２ａは、第２の舌１１３ａのＷ２より大きい幅Ｗ１を有する。
【００５６】
２つの第２の受容スロット１１３１ａ、１１３２ａは、第２の舌１１３ａの下部表面内に提供される。
【００５７】
第１の導電性端子１２ａは上部列と下部列とに分割可能である。各第１の導電性端子１２ａは、板状の嵌合部分１２１ａと溶接部分１２２ａを有する。第１の導電性端子１２ａの嵌合部分１２１ａは、第１の舌１１２ａの第１の受容スロット１１２３ａ内に提供され、高精細映像信号を送信する。第１の舌１１２ａの上部表面１１２８ａ上に配置される第１の導電性端子１２ａの嵌合部分１２１ａは、第１の舌１１２ａの下部表面１１２９ａ上のものに対してオフセットされ、すなわち上部列内の嵌合部分１２１ａは下部列内の嵌合部分１２１ａには面せず、したがって、上部列第１導電性端子の嵌合部分１２１ａと下部列第１導電性端子の間の距離は増加可能であり、したがって、高周波数データ送信中に信号ノイズを削減し、信号送信品質を改善する。
【００５８】
各第２導電性端子１３ａは板状の嵌合部分１３１ａと溶接部分１３２を備える。２つの第２の導電性端子１３ａは、それぞれ２つの第２の受容スロット１１３１ａ、１１３２ａ内に受容される。第２の受容スロット１１３１ａ内に受容される一方の第２の導電性端子１３ａは、電源の負極と接続するために使用され、他方の第２の導電性端子１３ａは電源の正極と接続するために使用される。電源の負極に接続される一方の第２の導電性端子１３ａの嵌合部分１３１ａの末端は、電源の正極に接続される他方の第２の導電性端子１３ａの嵌合部分１３１ａの末端と比較して、第２の舌１１３ａ上の正面により近い位置に配置され、したがって、表示装置の内部に残る正電荷は電源の負極と接続される、後程ホットプラグ時に切り離される、第２の導電性端子１３ａを通って、プラグ電気コネクタを介して放電可能であり、このようにして、表示装置は正常に動作することを確保可能である。２つの第２の導電性端子１３ａは表示装置が必要とする電力を送信するために使用され、表示装置の一本の別個の電源ケーブルを節約する。さらに、溶接部分１３２ａ間の距離は２つの第２の導電性端子１３ａの嵌合部分１３１ａのものよりおおきく、したがって、回路基板内の２つの相当する溶接穴間の距離を増加させて電流を適切に増加可能である。
【００５９】
第１の遮蔽筐体１４ａは第１および第２の舌１１２ａおよび１１３ａを包囲し、受容室１４５ａを形成する。第１の舌１１２ａを包囲する第１の嵌合室１４５１ａは、第１の舌１１２ａの周囲に形成され、そこには標準ＤＰプラグを挿入可能である。第２の舌１１３ａを包囲する第２の嵌合室１４５２ａは第２の舌１１３ａの周囲に形成される。第１の嵌合室１４５１ａは、第２の嵌合室１４５２ａより大きい幅を有する。第１および第２の嵌合室１４５１ａおよび１４５２ａは互いに積み重ねられ、連通されて、第１の受容室１４５ａを形成する。詳細には、第１の遮蔽筐体１４ａは金属板をプレスすることによって形成され、小さい上部部分と大きい下部部分を備える形状を有する。図２４および２５に示されるように、第１の遮蔽筐体１４ａは頂部板１４１ａ、頂部板１４１ａの左および右側部から下方へ曲げ、延在する２つの側部板１４２ａ、２つの側部板１４２ａを互いの方向に水平に曲げ、延在させて互いに係合させることによって形成される底部板１４３ａ、頂部板１４１ａおよび底部板１４３ａの後部端から後方へ真っすぐに延在する４つの固定脚１４４ａを備える。逆Ｕ字形状の弓状部分１４１１ａは、頂部板１４１ａの中部から上方へ延在する。頂部板１４１ａは、弓状部分１４１１ａの各左および右上に穴１４１４ａを、そして弓状部分１４１１ａの各左および右側部上に留め金部分１４１７ａを提供される。頂部板１４１ａは２つの留め金部分１４１７ａの各正面端上に内方向に突出する限定部分１４１８ａを提供される。同様に、底部板１４３ａも留め金部分１４１７ａおよび２つの限定部分１４１８ａを提供される。これらの限定部分１４１８ａ、１４３８ａは、第１の絶縁体１１ａの第１の保留部分１１１８ａと嵌合可能で、第１の絶縁体１１ａを第１の遮蔽筐体１４ａに対して配向する。頂部板１４１ａは、弓状部分１４１１ａの各左および右上で、後部から正面に延在する弾性留め金腕１４１５ａを提供される。底部板１４３ａは、その各左および右部分上で、後部から正面に延在する弾性留め金腕１４３５ａを提供される。各２つの側部板１４２ａは、正面から後部へ延在する弾性留め金腕１４２５ａを提供される。これらの弾性腕１４１４ａ、１４２５ａ、１４３５ａは、プラグ電気コネクタの異なる側部および異なる深さにおける位置で留め金可能で、係合強度を改善する。
【００６０】
第１の保留要素１５ａは、第１および第２の導電性端子１２ａ、１３ａの溶接部分と嵌合され、それらの導電性端子の溶接部分が破壊し、短絡するのを阻止する。詳細には、第１の保留要素１５ａは、基部１５１および、基部１５１ａの対向する２つの表面の上部表面から延在する突起１５２ａを備える。基部１５１ａは、第１の導電性端子１２ａを挿入するための複数の穿孔１５１１ａを提供される。区画板１５１９ａが提供される溝１５１８ａは、基部１５１ａの正面端から後ろ方向に陥没される。２列の第１の導電性端子１２ａは、溝１５１８ａ内に挿入され、受容され、そして区画板１５１９ａの２つの側部上にアレンジされる。基部１５１ａは、その各上部および下部表面上に２つの留め金部分１５１３ａを提供され、したがって、留め金部分は第１の遮蔽筐体１４ａ上の留め金部分１４１７ａ、１７３７ａと嵌合されることが可能で、第１の保留要素１５ａを第１の遮蔽筐体１４ａ上に載置し、第１の保留要素１５ａを第１の絶縁体１１ａの後部端に当接する。本実施形態に関しては、保持部分１５１３ａは、傾斜を正面端に備えた基部１５１ａから外方向に突出する保持突起である。留め金部分１４１７ａ、１４３７ａは、第１遮蔽筐体１４ａ内の開口である。他の実施形態においては、保持部分１５１３ａはその代わりに基部１５１ａから内方向に陥没する保持溝であり得、留め金部分１４１７ａ、１４３７ａは代わりに第１の受容室１４５ａの内部に向かって突出する保持弾性薄板（示されない）である。
【００６１】
突起１５２ａは、第２の導電性端子１３ａを挿入するための２つの第２の穿孔１５２１ａを提供される。突起１５２ａは、基部１５１ａの上部表面の後端から垂直に延在する垂直壁１５２２ａ、垂直壁１５２２ａの頂部端から前方に延在する頂部板１５２３ａ、および頂部板１５２３ａの底部から垂直に延在する区画板１５２４ａを備える。垂直壁１５２２ａは、区画板１５２４ａの各２つの側部上で第２の穿孔１５２１ａを提供される。
【００６２】
レセプタクル電気コネクタ１ａの組み立て手順は以下のようになる。第１に、第１および第２の導電性端子１２ａおよび１３ａを後部から正面への方向で第１の絶縁体１１ａに挿入する。次に第１の遮蔽筐体１４ａを正面から後部への方向で第１の絶縁体１１ａに被せる。そして最後に、第１の保留要素１５ａをそれらの導電性端子の溶接部分と整合し、第１の保留要素１５ａを後部から正面への方向で挿入し、それにより、第１の保留要素１５ａは第１の遮蔽筐体１４ａ上に固定され、第１の絶縁体１１ａの後端に当接する。
【００６３】
前述の第２の導電性端子１３ａの数は２つであるが、他の可能な実施形態においては３、４、または２より大きい他の数が可能であり、供給される電力を改善できることに注目されるべきである。
【００６４】
図２０および２１を参照すると、レセプタクル電気コネクタ１ａは、パネル１９１ａおよびパネル１９１ａから後ろ方向に延在する延長１９２ａを有する封止キャップ１９ａをさらに備える。延長１９２ａはその周囲において複数の締め金部分１９３ａを提供される。パネル１９１ａの形状は、第１の受容室１４５ａの開口形状に相当する。パネル１９１ａは、第１の嵌合室１４５１ａを封止するための基部１９１１ａならびに第２の嵌合室１４５２ａを封止するための突起１９１２ａを有する。締め金部分１９３ａは、封止キャップ１９ａが第１の受容室１４５ａ内に挿入されるときに第１の遮蔽筐体１４ａ内の弾性留め金腕１４１５ａ、１４３５ａと係合可能であり、それにより、第１の受容室１４５ａの開口はパネル１９１ａによって封止される。
【００６５】
従来型コネクタと比べ、第１の実施形態の有利な効果に加え、本発明の第２の実施形態に従うレセプタクル電気コネクタ１ａは、以下の有利な効果を有する。第１の絶縁体１１ａと第１の遮蔽筐体１４ａの組み合わせは、強化可能である、何故ならば第１の保留要素１５ａは第１の遮蔽筐体１４ａ上に載置され、第１の絶縁体１１ａの後端に当接するからであり、これにより、導電性端子は曲げが阻止可能である。
【００６６】
＜レセプタクル電気コネクタの第３の実施形態＞
【００６７】
本発明に従う、図２７〜３１に示されるレセプタクル電気コネクタの第３の実施形態は、相当する回路基板（示されない）上に横載置されるように適合化されるレセプタクル電気コネクタ１ｂである。レセプタクル電気コネクタ１ｂは、第１の絶縁体１１ｂ、第１の絶縁体１１ｂ上に載置される複数の第１の導電性端子１２ｂおよび２つの第２の導電性端子１３ｂ、第１の絶縁体１１ｂの後端上に載置される端子保護座１８１ｂ、第１の絶縁体１１ｂの外側および端子保護座１８１ｂ上に載置される第１の遮蔽筐体１４ｂ、第１の遮蔽筐体１４ｂの下に載置され、第１の絶縁体１１ｂおよび端子保護座１８１ｂと組み合わされる第１の保留要素１５ｂ、を備える。
【００６８】
第１の絶縁体１１ｂは、第１の本体部分１１１ｂ、第１の本体１１１ｂから前方に延在する第１の舌１１２ｂおよび第２の舌１１３ｂを備える。第１の絶縁体１１ｂの第１の本体部分１１１ｂは、正面保留部分１１１８ｂを提供される。第１の絶縁体１１ｂの第１の本体部分１１１ｂは、その後部部分の２つの端上に、第１の保留部分１１１９ｂも提供される。さらに、第１の留め金部分１１１６ｂは、第１の絶縁体１１ｂの第１の本体部分１１１ｂから下方に延在する。
【００６９】
第１の舌１１２ｂは、板状の基部１１２１ｂおよびそれぞれ基部１１２１ｃの頂部および底部の２つの側部縁から左側部に向かって突出する２つの誤栓阻止リブ１１２２ｂを備える。第１の舌１１２ｂの基部１１２１ｂは、互いに対向する第１の表面１１２８ｂと第２の表面１１２９ｂを備える。第１の表面１１２８ｂは右方向に面するように構成され、第２の表面１１２９ｂは左方向に面するように構成される。各第１および第２の表面１１２８ｂおよび１１２９ｂは複数の第１の受容スロット１１２３ｂを提供される。第１の舌１１２ｂは標準ＤＰ（ディスプレイポート）タイププラグ電気コネクタと嵌合可能である。
【００７０】
第１および第２の舌１１２ｂおよび１１３ｂは、互いに平行となるように構成され、左側および右側の関係にアレンジされる。第１の舌１１２ｂは、第２の舌１１３ｂのＷ２より大きい幅Ｗ１を有する。
【００７１】
２つの第２の受容スロット１１３１ｂ、１１３２ｂは第２の舌１１３ｂの左方向に面する表面内に提供される。
【００７２】
第１の導電性端子１２ｂは、第１の絶縁体１１ｂ内へ挿入される上方列と下方列とに分割可能である。各第１の導電性端子１２ｂは、板状の嵌合部分１２１ｂと溶接部分１２２ｂを有する。第１の導電性端子１２ｂの嵌合部分１２１ｂは、高精細映像信号を送信するために、第１の舌１１２ｂの第１の受容スロット１１２３ｂ内に提供される。第１の舌１１２ｂの第１の表面１１２８ｂ上に配置される第１の導電性端子１２ｂの嵌合部分１２１ｂは第１の舌１１２ｂの第２の表面１１２９ｂ上のものに対してオフセットされ、すなわち、左側部上の嵌合部分１２１ｂは右側部上の嵌合部分１２１ｂと面されていない。
【００７３】
２つの第２の導電性端子１３ｂは、第１の絶縁体１１ｂの２つの第２の受容スロット１１３１ｂ、１１３２ｂ内に挿入される。各第２の導電性端子１３ｂは、板状の嵌合部分１３１ｂと溶接部分１３２ｂを備える。相当する第２の受容スロット１１３１ｂ内に受容される一方の第２の導電性端子１３ｂは、電源の負極と接続するために使用され、他方の第２の導電性端子は、電源の正極と接続するために使用される。電源の負極に接続される一方の第２の導電性端子１３ｂの嵌合部分１３１ｂの末端は、電源の正極に接続される他方の第２の導電性端子１３ｂの嵌合部分１３１ｂの末端と比較して、正面により近い位置に配置される。２つの第２の導電性端子１３ｂは表示装置によって要求される電力を送信するために使用され、表示装置の一本の別個の電源ケーブルを節約する。さらに、２つの溶接部分１３２ｂ間の距離は、２つの第２の導電性端子１３ｂの２つの嵌合部分１３１ｂ間より大きい。
【００７４】
図３０および３１に示されるように、端子保護座１８１ｂは第１の絶縁体１１ｂの後端上に載置され、端子保護座１８１ｂの中部内に陥没する受容スロット１８１１ｂおよび受容スロット１８１１ｂ内に配置される区画壁１８１２ｂを提供される。受容スロット１８１１ｂは、２列の第１の導電性端子１２ｂを受容するための区画壁１８１２ｂによって、左および右部に分割される。端子保護座１８１ｂは、第２の導電性端子１３ｂを受容するために、右側部上に溝１８１３ｂを提供される。端子保護座１８１ｂは、第１の絶縁体１１ｂの２つの第１の保留部分１１１９ｂと嵌合するために、その表面上の各頂部および底部端上に第１の組み合わせ部分１８１４ｂも提供され、従って、端子保護座１８１ｂは第１の絶縁体１１ｂの後端上に固定される。さらに、端子保護座１８１ｂは各その左および右側部上に２つの留め金部分１８１５ｂを提供される。端子保護座１８１ｂはその後端下に、第１の締め金部分１８１６ｂも提供さる。第１の締め金部分１８１６ｂはそれぞれ後端により近い左および右側部から下方向へ延在する２つの対向締め金１８１８ｂ、ならびにその後端から下方向へ延在する限定妨害１８１７ｂを備える。
【００７５】
第１の遮蔽筐体１４ｂは第１および第２の舌１１２ｂおよび１１３ｂを包囲し、受容室１４５ｂを形成する。第１の舌１１２ｂを包囲する第１の嵌合室１４５１ｂは、第１の舌１１２ｂの周囲に形成され、その中に標準ＤＰプラグが挿入可能である。第２の舌１１３ｂを包囲する第２の嵌合室１４５２ｂは、第２の舌１１３ｂの周囲に形成される。第１の嵌合室１４５１ｂは、第２の嵌合室１４５２ｂより大きな幅を有する。第１および第２の嵌合室１４５１ｂおよび１４５２ｂは、積み重ねられて互いに連通され、第１の受容室１４５ｂを形成する。詳細には、第１の遮蔽筐体１４ｂは金属板をプレスして形成され、小上部部分および大下部部分を有する形状を有する。
【００７６】
第１の遮蔽筐体１４ｂは、右側部板１４１ｂ、それぞれ右側部板１４１ｂの頂部および底部から左水平方向に曲がり、延在する頂部板１４２ｂおよび底部板１４２ｂ、頂部板１４２ｂおよび底部板１４２ｂを互い方向にさらに垂直に曲げ、延在させ、次に互いに係合して形成される左側部板１４３ｂ、右側部板１４１ｂ、左側部板１４３ｂ、および頂部板１４２ｂを後ろ方向に延在させ、組み合わせることによって形成される延長１４７ｂ、を備える。延長１４７ｂは、第１の絶縁体１１ｂの後部端および端子保護座１８１ｂを覆う。
【００７７】
逆Ｕ字形状の弓状部分１４１１ｂは右側部板１４１ｂの中部から右方向へ突出する。右側部板１４１ｂは、弓状部分１４１１ｂの各上部および下部部分上に穴１４１４ｂを提供される。弓状部分１４１１ｂはその各側部上に載置部分１４１９ｂを提供される。同様に、右側部板１４３ｂも２つの載置部分１１４３９ｂを提供される。これらの載置部分１４１９ｂ、１４３９ｂは、端子保護座１８１ｂを第１の遮蔽筐体１４ｂ上に固定するために、端子保護座１８１ｂの留め金部分１８１５ｂと嵌合可能である。さらに、頂部板１４２ｂは、第１の遮蔽筐体１４ｂの後端において第１の絶縁体１１ｂを配向するために第１の絶縁体１１ｂの正面保留部分１１１８ｂと嵌合される限定部分１４２８ｂが提供される。
【００７８】
さらに、右側部板１４１ｂは、弓状部分１４１１ｂの各上部および下部側部上で後部から正面に延在する弾性留め金腕１４１５ｂを提供される。左側部板１４３ｂは、その各上部および下部部分上で後部から正面に延在する弾性留め金腕１４３５ｂを提供される。各頂部および底部板１４２ｂは、正面から後部に延在する弾性留め金腕１４２５ｂを提供される。
【００７９】
第１の保留要素１５ｂおよび端子保護座１８１ｂは、第１および第２の導電性端子１２ｂ、１３ｂと嵌合され、これらの導電性端子の溶接部分が曲がるのを阻止する。詳細には、第１の保留要素１５ａは第１の絶縁体１１ｂおよび端子保護座１８１ｂの下に載置され、そして基部１５１ｂを備える。基部１５１ｂは第１の導電性端子１２ｂを挿入するための複数の第１の穿孔１５１１ｂ、ならびに第２の導電性端子１３ｂを挿入するための２つの第２の穿孔１５１２ｂを提供される。第１の保留要素１５ａは、第１の絶縁体１１ｂの第１の留め金部分１１１６ｂと嵌合するための第１の載置部分１５１４ｂ、ならびに端子保護座１８１ｂの第１の締め金部分１８１６ｂと嵌合するための第２の締め金部分１５１６ｂも提供される。詳細には、第１の載置部分１５１４ｂは穴である。第２の締め金部分１５１６ｂは後端により近い位置に配置され、第１の締め金部分１８１６ｂの２つ締め金１８１８ｂと嵌合される２つのスナップ溝１５１８ｂ、および後端に配置されそして第１の締め金部分１８１６ｂの限定妨害１８１７ｂと嵌合される保留溝１５１９ｂを備える。
【００８０】
レセプタクル電気コネクタ１ｂの組み立て手順は、以下のようになる。第１に、第１および第２の導電性端子１２ｂおよび１３ｂを後部から正面への方向で第１の絶縁体１１ｂに挿入する。次に端子保護座１８１ｂを後部から正面の方向に第１の絶縁体１１ｂの後端上に挿入する。そして第１の保留要素１５ｂをそれらの導電性端子の溶接部分と整合し、第１の保留要素１５ｂを下部から上部への方向で挿入し、第１の保留要素１５ｂを第１の絶縁体１１ｂおよび端子保護座１８１ｂと組み合わせ、最後に、第１の遮蔽筐体１４ｂを正面から後部の方向で前述部の上に覆う。
【００８１】
従来型コネクタと比較し、第１の実施形態の有利な効果に加え、本発明の第３の実施形態に従うレセプタクル電気コネクタ１ｂは、以下の有利な効果を有する。導電性端子１２ｂ、１３ｂはより長く延在し、第１の絶縁体１１ｂの後端上に端子保護座１８１ｂを載置することによって横載置するときに容易には曲がらないことを確保できる。
【００８２】
＜レセプタクル電気コネクタの第４の実施形態＞
【００８３】
本発明に従う、図３２〜３８に示されるレセプタクル電気コネクタの第４の実施形態は、相当する回路基板（示されない）上に横載置されるように適合化されるレセプタクル電気コネクタ１ｃである。レセプタクル電気コネクタ１ｃは第１の絶縁体１１ｃ、第１の絶縁体１１ｃ上に載置される複数の第１の導電性端子１２ｃおよび２つの第２の導電性端子１３ｃ、第１の絶縁体１１ｃの外側に載置される第１の遮蔽筐体１４ｃを備える。
【００８４】
第１の絶縁体１１ｃは、第１の本体部分１１１ｃ、および第１の本体１１１ｃから前方に延在する第１の舌１１２ｃおよび第２の舌１１３ｃを備える。第１の舌１１２ｃは、板状の基部１１２１ｃおよび、それぞれ基部１１２１ｃの頂部および底部の２つの側部縁から左側に向けて突出する２つの誤栓阻止リブ１１２２ｃを備える。第１の舌１１２ｃの基部１１２１ｃは、互いに対向する第１の表面１１２８ｃと第２の表面１１２９ｃとを備える。第１の表面１１２８ｃは右方向に面するように構成され、第２の表面１１２９ｃは左方向に面するように構成される。各第１および第２の表面１１２８ｃおよび１１２９ｃは、複数の第１受容スロット１１２３ｃを提供される。
【００８５】
第１および第２の舌１１２ｃおよび１１３ｃは互いに平行になるように構成され、そして左側部および右側部の関係にアレンジされる。第１の舌１１２ｃは第２の舌１１３ｃのＷ２より大きな幅Ｗ１を有する。
【００８６】
２つの第２の受容スロット１１３１ｃ、１１３２ｃは第２の舌１１３ｃの左方向に面する表面内に提供される。
【００８７】
各第１の導電性端子１２ｃは、板状の嵌合部分１２１ｃおよび溶接部分１２２ｃを有する。第１の導電性端子１２ｃの嵌合部分１２１ｃは高精細映像信号を送信するための、第１の舌１１２ｃの第１の受容スロット１１２３ｃ内に提供される。第１の舌１１２ｃの第１の表面１１２８ｃ上に配置される第１の導電性端子１２ｃの嵌合部分１２１ｃは、第１の舌１１２ｃの第２の表面１１２９ｃ上のものに対してオフセットされ、すなわち、嵌合部分１２１ｃは左側部および右側部方向において、互いに面しない。
【００８８】
各第２の導電性端子１３ｃは板状の嵌合部分１３１ｃおよび溶接部分１３２ｃを備える。２つの第２の導電性電気端子１３ｃは、それぞれ２つの受容スロット１１３１ｃ、１１３２ｃ内へ受容される。相当する第２の受容スロット１１３１ｃ内に受容される一方の第２の導電性端子１３ｃは、電源の負極と接続するために使用され、他方の第２の導電性端子１３ｃは電源の正極と接続するために使用される。電源の負極に接続される一方の第２の導電性端子１３ｃの嵌合部分１３１ｃの末端は、電源の正極に接続される他方の第２の導電性端子１３ｃの嵌合部分１３１ｃの末端と比較して、正面により近い位置において配置される。２つの第２の導電性端子１３ｃは表示装置によって必要とされる電力を送信するために使用され、表示装置の一本の別個の電源ケーブルを節約する。さらに、２つの溶接部分１３２ｃ間の距離は、２つの第２の導電性端子１３ｃの２つの嵌合部分１３１ｃ間のものより大きい。
【００８９】
本実施形態においては、第１の絶縁体１１ｃの本体部分１１１ｃは、互いに連結し合う、第１の胴アセンブリ１８２１ｃおよび第２の胴部１８５７ｃを備える。第１の舌１１２ｃは第１の胴アセンブリ１８２１ｃから前方へ延在し、第２の舌１１３ｃは第２の胴部１８５７ｃから前方に延在する。第１の導電性端子１２ｃは第１の胴アセンブリ１８２１ｃ内に部分的にインサート成形される。
【００９０】
２つの鉤１８４３ｃが提供される受容スロット１８３８ｃは、第１の胴アセンブリ１８２１ｃ内に形成される。第２の胴部１８５７ｃは２つの鉤１８４３ｃと留め金される２つのスナップ溝１８５９ｃを提供され、第２の胴部１８５７ｃは受容スロット１８３８ｃ内に受容される。
【００９１】
本実施形態において、図３７および３８に示されるように、第１の胴アセンブリ１８２１ｃは多数の異なる構造で構成可能であり、第１の胴アセンブリ１８２１ｃは、互いに連結される第１の胴部１８３７ｃと第３の胴部１８４７ｃとを備える。第１の舌１１２ｃは第１の胴部１８３７ｃから前方に延在する。複数の第１の導電性端子１２ｃは、第１の胴部１８３７ｃ内に部分的にインサート成形される第１の導電性端子の第１の列と、第３の胴部１８４７ｃに部分的にインサート成形される第１の導電性端子の第２の列とに分割され、第１の列の嵌合部分１２１ｃは第１の舌１１２ｃの第１の表面１１２８ｃ内の第１の受容スロット１１２３ｃにインサート成形され、第２の列の嵌合部分１２１ｃは第１の舌１１２ｃの第２の表面１１２９ｃ内の第１の受容スロット１１２３ｃに挿入される。第２の保留部分１８３９ｃは第１の胴アセンブリ１８２１ｃの上部に提供される。
【００９２】
図３８に示される実施形態に関しては、２つの鉤１８４３ｃが第３の胴部１８４７ｃ内に提供される。２つの鉤１８４３ｃを挿入するための穿孔１８３３が提供される前述の受容スロット１８３８ｃは、第１の胴部１８３７ｃ内に形成される。第３の胴部１８４７ｃは保留部分１８４４ｃを提供され、第１の胴部１８３７ｃは保留部分１８４４ｃと連結されて第１の胴部１８３７ｃと第３の胴部１８４７ｃとの間の相対的固定を実現する、保留連結部分１８３４ｃが提供される。前述の第２の保留部分１８３９ｃは第１の胴部１８３７ｃの頂部に提供される。
【００９３】
さらに、第３の胴部１８４７ｃは第３の鉤１８４８ｃをさらに提供される。第１の胴部１８３７ｃは第３の鉤１８４８ｃとの干渉を避けるために切り欠き１８３６ｃを提供される。第２の胴部１８５７ｃは、第２の胴部の後端上に、第３の鉤１８４８ｃと嵌合するための第３のスナップ溝１８５１ｃも提供される。前述の構成のおかげで、第２の胴部１８５７ｃと第１の胴アセンブリ１８２１ｃ間の接続はより信頼性がある。
【００９４】
第１の遮蔽筐体１４ｃは、第１および第２の舌１１２ｃおよび１１３ｃを包囲して第１の受容室１４５ｃを形成する。第１の舌１１２ｃを包囲する第１の嵌合室１４５１ｃは第１の舌１１２ｃの周囲に形成され、その中には標準ＤＰプラグを挿入可能である。第２の舌１１３ｃを包囲する第２の嵌合室１４５２ｃは、第２の舌１１３ｃの周囲に形成される。第１の嵌合室１４５１ｃは第２の嵌合室１４５２ｃより大きな幅を有する。第１および第２の嵌合室１４５１ｃおよび１４５２ｃは積み重ねられ、互いに連通されて第１の受容室１４５ｃを形成する。詳細には、第１の遮蔽筐体１４ｃは金属板をプレスすることによって形成され、小上部部分および大底部部分を備える形状を有する。
【００９５】
第１の遮蔽筐体１４ｃは、右側部板１４１ｃ、それぞれ右側部板１４１ｃの頂部および底部から左水平方向に曲がり、延在する頂部板１４２ｃおよび底部板１４２ｃ、頂部板１４２ｃおよび底部板１４２ｃを互いの方向に垂直に曲げ、延在させ、互いに係合させて形成される左側部板１４３ｃ、右側部板１４１ｃ、左側部板１４３ｃ、および頂部板１４２ｃを後ろ方向に延在させ、組み合わせて形成される延長１４７ｃを備える。延長１４７ｃは第１の絶縁体１１ｃの後部端を覆い、下方向に延在する４つの固定脚１４４ｃを有する。
【００９６】
逆Ｕ字形状の弓状部分１４１１ｃは、右側部板１４１ｃの中部から右方向へ突出する。右側部板１４１ｃは、弓状部分１４１１ｃの各上部および下部側部上に穴１４１４ｃを提供される。弓状部分１４１１ｃはその各側部上に載置部分１４１７ｃを提供される。同様に、右側部板１４３ｃも２つの載置部分１４３７ｃを提供される。これらの載置部分１４１７ｃ、１４３７ｃは、第１の絶縁体１１ｃを第１の遮蔽筐体１４ｃ上に固定するために、第１の絶縁体１１ｃの留め金部分１８３５ｃ、１８４５ｃと嵌合可能である。さらに、頂部板１４２ｃは、第１の遮蔽筐体１４ｃの後端において第１の絶縁体１１ｃを配向するために第１の絶縁体１１ｃの第２の保留部分１８３９ｃと嵌合可能な限定部分１４２８ｃを提供される。
【００９７】
さらに、右側部板１４１ｃは弓状部分１４１１ｃの各上部および下部側部上で後部から正面へ延在する弾性留め金腕１４１５ｃを提供される。左側部板１４３ｃは、その各上部および下部部分上で後部から正面へ延在する弾性留め金腕１４３５ｃを提供される。各頂部および底部板１４２ｃは、正面から後部へ延在する弾性留め金腕１４２５ｃを提供される。これらの弾性腕１４１４ｃ、１４２５ｃ、１４３５ｃは、嵌合電気コネクタの異なる深さにおける異なる側部および位置において留め金可能であり、係合強度を改善する。
【００９８】
レセプタクル電気コネクタ１ｃの組み立て手順は以下の通りである。第１に、インサート成形技術を使用して第１の胴部１８３７ｃ、第２の胴部１８５７ｃ、および第３の胴部１８４７ｃを、それぞれ第１の導電性端子１２ｃおよび第２の導電性端子１３ｃの２列の周囲に成形する。次に、第１の胴部１８３７ｃと第３の胴部１８４７ｃとを組み立てて第１の胴アセンブリ１８２１ｃを形成する。そして次に第１の胴アセンブリ１８２１ｃと第２の胴部１８５７ｃとを組み立てて第１の絶縁体１１ｃの第１の本体部分１１１ｃを形成する。そして最後に、第１の遮蔽筐体１４ｃを、表面から後部への方向で第１の絶縁体１１ｃの上に被せる。
【００９９】
従来型コネクタと比較し、第１の実施形態の有利な効果に加え、本発明の第４の実施形態に従うレセプタクル電気コネクタ１ｃは、以下の有利な効果を有する。導電性端子１２ｃ、１３ｃはより長く延在し、容易に曲がらず、そして横載置に適することを確保可能であり、これは第１の絶縁体１１ｃの第１の本体部分１１１ｃが、第１の胴部１８３７ｃ、第２の胴部１８５７ｃ、および第３の胴部１８４７ｃに分割され、互いに連結および組み立てが可能であるからであり、前述の導電性端子１２ｃ、１３ｃはインサート成形技術を使用して前述の異なる胴部１８３７ｃ、１８４７ｃ、１８５７ｃ上に固定可能である。
【０１００】
＜レセプタクル電気コネクタの第５の実施形態＞
【０１０１】
本発明に従い図３９〜４５に示されるレセプタクル電気コネクタの第５の実施形態は、ＨＰＤＰ（高出力ディスプレイポート）レセプタクル開口を備え、電源供給は上部側部に、ＥＳＡＴＡレセプタクル開口は下部側部に備わる。レセプタクル電気コネクタ１ｄは第１の絶縁体１１ｄを備え、第１の絶縁体１１ｄ上には複数の第１の導電性端子１２ｄ、２つの第２の導電性端子１３ｄ、複数の第５の導電性端子１６７ｄが載置され、第１の絶縁体１１ｄ上には第１の遮蔽筐体１４ｄ、第３の遮蔽筐体１６９ｄ、外部遮蔽筐体１７３ｄ、後部遮蔽筐体１７６ｄが載置され、第１の保留要素１５ｄは第１の絶縁体１１ｄの後部端の底部上に載置され、そしてスペーサ要素アセンブリ１７８ｄは導電性端子間に載置される。
【０１０２】
図４１に示されるように、第１の絶縁体１１ｄは、第１の本体部分１１１ｄ、第１の本体１１１ｄから前方に延在する第１の舌１１２ｄおよび第２の舌１１３ｄ、第１の本体部分１１１ｄから前方に延在する支持部分１７７ｄ、支持部分１７７ｄから下方向に延在する第３の本体部分１６１ｄ、および第３の本体部分１６１ｄから前方に延在する第３の舌１６２ｄを備える。第１の本体部分１１１ｄは、その頂部から上方向へ突出する留め金部分１１１９ｄを有する。支持部分１７７ｄは２つの対向する側部壁１７７２ｄおよび２つの側部壁１７７２ｄの底部間に接続される区画壁１７７３ｄを備える。
【０１０３】
図４０で示されるように、第１の舌１１２ｄは板状の基部１１２１ｄおよび、それぞれ基部１１２１ｄの左および右側部縁から下方向に突出する２つの誤栓阻止リブ１１２２ｄを備える。第１の舌１１２ｄの基部１１２１ｄは、互いに対向する第１の表面１１２８ｄおよび第２の表面１１２９ｄを備える。第１の表面１１２８ｄは上方向に面するように構成され、第２の表面１１２９ｄは下方向に面するように構成される。各第１および第２の表面１１２８ｄおよび１１２９ｄは複数の第１の受容スロット１１２３ｄを提供される。第１の舌１１２ｄは標準ＤＰ（ディスプレイポート）タイププラグ電気コネクタと嵌合可能である。
【０１０４】
第１および第２の舌１１２ｄおよび１１３ｄは互いに平行となるように構成され、上部および下部の関係にアレンジされる。第１の舌１１２ｄは第２の舌１１３ｄのＷ２より大きい幅Ｗ１を有する。
【０１０５】
２つの第２の受容スロット１１３１ｄ、１１３２ｄは第２の舌１１３ｄの下部表面内に提供される。
【０１０６】
複数の第５の受容スロット１６２１ｄは、第３の舌１６２ｄの少なくとも１つの表面内に提供される。本実施形態においては、第３の舌１６２ｄは標準ＥＳＡＴＡプラグ電気コネクタと嵌合可能である。
【０１０７】
図４０および４１に示されるように、第１の導電性端子１２ｄは上部列と下部列とに分割可能である。各第１の導電性端子１２ｄは、板状の嵌合部分１２１ｄおよび溶接部分１２２ｄを有する。第１の導電性端子１２ｄの嵌合部分１２１ｄは、高精細映像信号を転送するために、第１の舌１１２ｄの第１の受容スロット１１２３ｄ内に提供される。第１の舌１１２ｄの上部表面１１２８ｄ上に配置される第１の導電性端子１２ｄの嵌合部分１２１ｄは、第１の舌１１２ｄの下部表面１１２９ｄ上のものに対してオフセットされ、すなわち、上部列の嵌合部分１２１ｄは、下部列のものとは対面せず、または整合されない。
【０１０８】
図４４を参照すると、各第２の導電性端子１３ｄは板状の嵌合部分１３１ｄと溶接部分１３２ｄを備える。一方の第２の導電性端子１３ｄは電源の負極と接続するために使用され、他方の第２の導電性端子１３ｄは電源の正極と接続するために使用される。電源の負極に接続される一方の第２の導電性端子１３ｄの嵌合部分１３１ｄの末端は、電源の正極に接続される他方の第２の導電性端子１３ｄの嵌合部分１３１ｄの末端と比較して、より正面に近い位置に配置される。２つの第２の導電性端子１３ｄは、表示装置によって必要とされる電力を送信するために使用され、表示装置の一本の別個の電源ケーブルを節約する。さらに、２つの溶接部分１３２ｄ間の距離は、２つの第２の導電性端子１３ｄの２つの嵌合部分１３１ｄ間のものより大きい。
【０１０９】
図４５に示されるように、第５の導電性端子１６７ｄは、上部列と下部列とに分割される。各第５の導電性端子１６７ｄは、嵌合部分１６７１ｄと溶接部分１６７２ｄを備える。第５の導電性端子１６７ｄの上部列の嵌合部分１６７１ｄは弾性的で、弓状形状を有し、第５の導電性端子１６７ｄの下部列の嵌合部分１６７１ｄは板形状を有する。
【０１１０】
図４０に示されるように、第１の遮蔽筐体１４ｄは、第１および第２の舌１１２ｄおよび１１３ｄを包囲し、第１の受容室１４５ｄを形成する。第１の舌１１２ｄを包囲する第１の嵌合室１４５１ｄは、第１の舌１１２ｄの周りに形成され、その中に標準ＤＰプラグが挿入可能である。第２の舌１１３ｄを包囲する第２の嵌合室１４５２ｄは、第２の舌１１３ｄの周りに形成される。第１の嵌合室１４５１ｄは、第２の嵌合室１４５２ｄより大きい幅を有する。第１および第２の嵌合室１４５１ｄおよび１４５２ｄは、互いに積み重ねられ連通し、第１の受容室１４５ｄを形成する。詳細には、図４２および４３に示されるように、第１の遮蔽筐体１４ｄは金属板をプレスすることによって形成され、小上部部分および大下部部分を備える形状を有する。第１の遮蔽筐体１４ｄは、頂部板１４１ｄ、頂部板１４１ｄの左および右側部から下方に曲がり、延在する２つの側部板１４２ｄ、２つの側部板１４２ｄを互い方向に水平に曲げおよび延在させ、次に互いに係合させて形成される底部板１４３ｄを備える。逆Ｕ字形状の弓状部分１４１１ｄは頂部板１４１ｄの中部から上方向に延在する。頂部板１４１ｄは、頂部板の後端において、絶縁体１１ｄ内の留め金部分１１１９ｄに相当する載置部分１４１９ｄを提供され、それにより、第１の遮蔽筐体１４ｄは第１の絶縁体１１ｄ上に固定可能である。頂部板１４１ｄは弓状部分１４１１ｄの各左および右側部上に穴１４１４ｄを提供される。頂部板１４１ｄは、弓状部分１４１１ｄの各左および右側部上に、後部から正面に延在する弾性留め金腕１４１５ｄも提供される。底部板１４３ｄは、その各左および右部分上で、後部から正面へ延在する弾性留め金腕１４３５ｄを提供される。各２つの側部板１４２ｄは、正面から後部に延在する弾性留め金腕１４２５ｄを提供される。これらの弾性腕１４１５ｄ、１４２５ｄ、１４３５ｄは、係合強度を改善するため、プラグ電気コネクタの異なる深さにおける異なる側部および位置上に留め金可能である。
【０１１１】
図４０および４１に示されるように、第３の遮蔽筐体１６９ｄは、第３の舌１６２ｄを包囲し、第３の受容室１６４ｄを形成する。第３の受容室１６４ｄは、標準ＥＳＡＴＡプラグを第５の嵌合室１６４１ｄに挿入するために、第３の舌１６２ｄを包囲する第５の嵌合室１６４１ｄを備える。
【０１１２】
外部遮蔽筐体１７３ｄは、２つの側部壁１７７２ｄおよび支持部分１７７ｄの区画壁１７７３ｄ上に載置され、２つの対向する側部板１７３１ｄを備え、正面板１７３２ｄは２つの側部板１７３１ｄの正面端の下部部分に接続され、複数の固定脚１７３４ｄは２つの側部板１７３１ｄから下方向に延在する。２つの側部板１７３１ｄは支持部分１７７ｄの２つの側部壁１７７２ｄの外部を覆い、正面板１７３２ｄは支持部分１７７ｄの区画壁１７７３ｄの正面端を覆う。２つの留め金腕１７３６ｄは、それぞれ正面板１７３２ｄの上部および下部側部から後ろ方向に曲がり、延在し、支持部分１７７ｄの区画壁１７７３ｄの正面端を留め金する。さらに、２つの上部留め金腕１７３６ｄは、支持部分１７７ｄの上に配置される第１の遮蔽筐体１４ｄの底部板１４３ｄと当接可能で、２つの下部留め金腕１７３６ｄは支持部分１７７ｄの下に配置される第３の遮蔽筐体１６９ｄの頂部部分に当接可能である。それゆえ、３つの遮蔽筐体１４ｄ、１６９ｄ、１７３ｄは、互いに電気的に接続可能であり、固定脚１７３４ｄを介して回路基板（示されない）上の接地回路と接続されて、３つの遮蔽筐体１４ｄ、１６９ｄ、１７３ｄの接地を実現する。
【０１１３】
図４３に示されるように、後部遮蔽筐体１７６ｄは外部遮蔽筐体１７３ｄの後端を留め金し、その中に、第１の導電性端子１２ｄ、第２の導電性端子１３ｄ、および第５の導電性端子１６７の後端が受容される。後部遮蔽筐体１７６ｄはその頂部端上につば１７６１ｄを提供される。つば１７６１ｄの正面端は、第１の遮蔽筐体１４ｄの弓状部分１４１１ｄの後端と接合されて、２つの第２の導電性端子１３ｄを覆う。
【０１１４】
図４４に示されるように、スペーサ要素アセンブリ１７８ｄは第１のスペーサ要素１７８１ｄ、第２のスペーサ要素１７８２ｄ、および第３のスペーサ要素１７８３ｄを備える。第１のスペーサ要素１７８１ｄは第２の導電性端子１３ｄと第１の導電性端子１２ｄの上部列との間に提供され、第２のスペーサ要素１７８２ｄは、第２の導電性端子１２ｄの２列の間に提供され、第３のスペーサ要素１７８３ｄは、第５の導電性端子１６７ｄの２列の間に提供される。第１のスペーサ要素１７８１ｄはその各左および右側部上にフランジ１７８５ｄが提供され、第２のスペーサ要素１７８２ｄのその各左および右側部上にフランジ１７８６ｄを提供される。これらのフランジ１７８５ｄ、１７８６ｄは、第１の絶縁体１１ｄの後端上に配置される滑走溝１１１７ｄ内に載置される。
【０１１５】
第１の保留要素１５ｄは第１の導電性端子１２ｄ、第２の導電性端子１３ｄ、および第５の導電性端子１６７ｄと嵌合され、それらの導電性端子の溶接部分が曲がるのを阻止する。詳細には、図４５に示されるように、第１の保留要素１５ｄは、第１の導電性端子１２ｄ、第２の導電性端子１３ｄ、および第５の導電性端子１６７ｄの溶接部分を挿入するための、複数の穿孔１５１５ｄを提供される。第１の保留要素１５ｄは、その各側部上に保持部分１５１３ｄも提供され、第１の絶縁体１１ｄの後端上の載置部分１１１８ｄ上に固定される。
【０１１６】
レセプタクル電気コネクタ１ｄの組み立て手順は以下の通りである。前述の導電性端子１２ｄ、１３ｄ、１６７ｄおよび前述のスペーサ要素１７８１ｄ、１７８２ｄ、１７８３ｄを、後部から正面の方向で、第１の絶縁体１１ｄに挿入する。第１の保留要素１５ｄをそれらの導電性端子の溶接部分１２２ｄ、１３２ｄ、１６７２ｄと整合し、そして第１の保留要素１５ｄを、下部から上部への方向で第１の絶縁体１１ｄの載置部分１１１８ｄに挿入する。外部遮蔽筐体１７３ｄを正面から後部への方向で第１の絶縁体１１ｄに挿入し、次に後部遮蔽筐体１７６ｄを外部遮蔽筐体１７３ｄの後端上に固定し、そして最後に第１の遮蔽筐体１４ｄおよび第３の遮蔽筐体１６９ｄを、正面から後部への方向で、第１の絶縁体１１ｄ上に挿入する。
【０１１７】
従来型コネクタと比べ、本発明の第３の実施形態に従うレセプタクル電気コネクタ１ｄは、以下の有利な効果を有する。第１の遮蔽筐体１４ｄの構造強度は、第１の絶縁体１１ｄから延在し、第１の遮蔽筐体１４ｄの底部および２つの側部を支持する支持部分１７７ｄによって破壊およびひずみを避けるために強化可能である。さらに、別のレセプタクル開口が追加され、第３の本体部分１６１ｄ、第３の舌１６２ｄ、第５の導電性端子６７ｄ、および第３の遮蔽筐体１６９ｄを提供することによってコネクタに対してより多くの機能を提供する。
【０１１８】
＜レセプタクル電気コネクタの第６の実施形態＞
【０１１９】
本発明に従う、図４６〜５１に示されるレセプタクル電気コネクタの第６の実施形態は、電源供給を備えるＨＰＤＰ（高出力ディスプレイポート）レセプタクル開口および電源供給を備えるＨＤＭＩレセプタクル開口を備える。２つのレセプタクル開口は部分的に重複し、電力送信を共有する。
【０１２０】
レセプタクル電気コネクタ１ｅは、第１の絶縁体１１ｅを備え、複数の第１の導電性端子１２ｅ、２つの第２の導電性端子１３ｅ、および複数の第５の導電性端子１６７ｅが第１の絶縁体１１ｅ上に載置され、２つの弾性留め金要素１７１ｅおよび２つの保持部分１７２ｅが第１の絶縁体１１ｅ上に配置され、第１の遮蔽筐体１４ｅが第１の絶縁体１１ｅ上に載置され、そして第１の保留要素１５ｅが第１の絶縁体１１ｄの後端の底部上に載置される。
【０１２１】
図４９に示されるように、第１の絶縁体１１ｅは第１の本体部分１１１ｅを備え、第１の舌１１２ｅおよび第２の舌１１３ｅは第１の本体１１１ｅから前方に延在し、第３の本体部分１６１ｅは第１の本体部分１１１ｅから上方向に延在、そして第３の舌１６２ｅは第３の本体部分１６１ｅから前方に延在する。
【０１２２】
図４８に示されるように、第１の絶縁体１１ｅは、そこに陥没する第１の受容室１４５ｅを提供される。第１の受容室１４５ｅは小上部部分と大下部部分を備えた形状を有し、上部および下部方向において積み重ねられ、互いに連通される第１の嵌合室１４５１ｅおよび第２の嵌合室１４５２ｅを備える。第１の舌１１２ｅは標準ＤＰ（ディスプレイポート）が挿入される第１の嵌合室１４５１ｅ内に配置される。第２の舌１１３ｅは第２の嵌合室１４５２ｅ内に配置される。第２の嵌合室１４５２ｅは第１の嵌合室１４５１ｅの上に配置され、第１の嵌合室１４５１ｅよりもずっと小さい幅を有する。
【０１２３】
同様に、第１の絶縁体１１ｅは、そこに陥没する第３の受容室１６４ｅを提供される。第３の受容室１６４ｅは、大上部分および小下部部分を備える形状を有し、上部および下部方向において積み重ねられそして互いに連通される第５の嵌合室１６４１ｅおよび第６の嵌合室１６４２ｅを備える。第３の舌１６２ｅは標準ＨＤＭＩプラグが挿入可能な第５の嵌合室１６４１ｅ内に配置される。第５の嵌合室１６４１ｅの挿入深さは、第１の嵌合室１４５１ｅのものとは異なる。第２の舌１１３ｅは第６の嵌合室１６４２ｅ内に配置される。第６の嵌合室１６４２ｅは、第５の嵌合室１６４１ｅの下に配置され、第５の嵌合室１６４１ｅよりずっと小さい幅を有する。第６の嵌合室１６４２ｅは第２の舌１１３ｅの周辺で第２の嵌合室１４５２ｅと重複し、第３の受容室１６４ｅは第１の受容室１４５ｅと部分的に重複して第２の舌１１３ｅを共有する。
【０１２４】
第１の舌１１２ｅは板状の基部１１２１ｅおよび、それぞれ基部１１２１ｅの左および右側部縁から下方向に突出する２つの誤栓阻止リブ１１２２ｅを備える。第１の舌１１２ｅの基部１１２１ｅは、互いに対向する第１の表面１１２８ｅと第２の表面１１２９ｅを備える。第１の表面１１２８ｅは上方向に面するように構成され、第２の表面１１２９ｅは下方向に面するように構成される。各第１および第２の表面１１２８ｅおよび１１２９ｅは複数の第１の受容スロット１１２３ｅを提供される。第１の舌１１２ｅは標準ＤＰ（ディスプレイポート）タイププラグ電気コネクタと嵌合可能である。
【０１２５】
第１および第２の舌１１２ｅおよび１１３ｅは、互いに平行となるように構成され、上部および下部関係にアレンジされる。第１の舌１１２ｅは第２の舌１１３ｅのＷ２より大きい幅Ｗ１を有する。
【０１２６】
２つの第２の受容スロット１１３１ｅ、１１３２ｅは第２の舌１１３ｅの下部表面内に提供される。
【０１２７】
第３の舌１６２ｅは、互いに対向する第１の表面１６２８ｅおよび第２の表面１６２９ｅを備える。第１の表面１６２８ｅは上方向に面するように構成され、第２の表面１６２９ｅは下方向に面するように構成される。各第１および第２の表面１６２８ｅおよび１６２９ｅは、複数の第５の受容スロット１６２１ｅを提供される。第３の舌１６２ｅは、標準ＨＤＭＩタイププラグ電気コネクタと嵌合可能である。
【０１２８】
各第１の導電性端子１２ｅは、板状の嵌合部分１２１ｅと溶接部分１２２ｅを有する。第１の導電性端子１２ｅの嵌合部分１２１ｅは、高精細映像信号を送信するための、第１の舌１１２ｅの第１の受容スロット１１２３ｅ内に提供される。第１の舌１１２ｅの上部表面１１２８ｅ上に配置される第１の導電性端子１２ｅの嵌合部分１２１ｅは、第１の舌１１２ｅの下部表面１１２９ｅ上のものに対してオフセットされ、つまり、上部列内の嵌合部分１２１ｅは下部列内の嵌合部分１２１ｅとは対面せず、または整合されない。
【０１２９】
各第２の導電性端子１３ｅは、板状の嵌合部分１３１ｅと溶接部分１３２ｅを備える。一方の第２の導電性端子１３ｅは、電源の負極と接続するために使用され、他方の導電性端子１３ｅは、電源の正極と接続するために使用される。電源の負極に接続される一方の第２の導電性端子１３ｅの嵌合部分１３１ｅの末端は、電源の正極に接続される他方の第２の導電性端子１３ｅの嵌合部分１３１ｅの末端と比較して、正面により近い位置に配置される。２つの第２の導電性端子１３ｅは、表示装置によって必要とされる電力を送信するために使用され、表示装置の１つの別個の電源ケーブルを節約する。さらに、２つの溶接部分１３２ｅ間の距離は、２つの第２の導電性端子１３ｅの２つの嵌合部分１３１ｅ間のものよりも大きい。
【０１３０】
各第５の導電性端子１６７ｅは、板状の嵌合部分１６７１ｅと溶接部分１６７２ｅとを備える。第５の導電性端子１６７ｅの嵌合部分１６７１ｅは、高精細映像信号を送信するための、第３の舌１６２ｅの第５の受容スロット１６２１ｅ内に提供される。第３の舌１６２ｅの上部表面１６２８ｅ上に配置される第１の導電性端子１６７ｅの嵌合部分１６７１ｅは、第３の舌１６２ｅの下部表面１６２９ｅ上のものに対してオフセットされ、それにより、第５の導電性端子１６７ｅの上部列の嵌合部分１６７１ｅと第５の導電性端子１６７ｅの下部列のものとの間の距離は増加可能で、それにより、高周波数データ送信中の信号干渉を削減可能で信号送信品質を改善する。
【０１３１】
２つの弾性留め金要素１７１ｅはそれぞれ第１の受容室１４５ｅの底部と第３の受容室１６４ｅの頂部上に載置される。各弾性留め金要素１７１ｅは、第１の絶縁体１１ｅ上に載置される２つの弾性留め金腕１７１２ｅと載置部分１７１１ｅを有する。詳細には、載置部分１７１１ｅはロックユニット１７１５ｅと２つの留め金ユニット１７１６ｅを備える。ロックユニット１７１５ｅは第１の絶縁体１１ｅ内の溝１１１７ｅを留め金するための鉤１７１７ｅをその正面端に有し、そして留め金ユニット１７１６ｅは弾性留め金腕１７１２ｅの後端上にアレンジされ、第１の絶縁体１１ｅ内に挿入されるための留め金部分１７１８ｅを有する。
【０１３２】
２つの保持部分１７２ｅは第１の受容１４５ｅ内の第１の嵌合室１４５１ｅの頂部上に載置される（図４７および５１を参照）。各保持部分１７２ｅは、第１の絶縁体１１ｅ上に固定されるために、その後部端上に保持部分１７２１ｅを提供され、各保持部分１７２ｅは嵌合電気コネクタ内の鉤との取り付けのために、その正面端上に保持穴１７２２ｅを提供される。
【０１３３】
図５０に示されるように、第１の遮蔽筐体１４ｅは金属板をプレスして形成され、そして互いに留め金される正面遮蔽要素１７５ｅおよび後部遮蔽要素１７６ｅにより形成される。第１の遮蔽筐体１４ｅは第１の絶縁体１１ｅの周囲上に載置され、そして第１の絶縁体１１ｅの第１の舌１１２ｅ、第２の舌１１３ｅ、および第３の舌１６２ｅを包囲して電磁遮蔽を達成する。第１の遮蔽筐体１４ｅは、頂部板１４１ｅと、頂部板１４１ｅの左および右側部から下方向に曲がり、延在する２つの側部板１４２ｅ、２つの側部板１４２ｅの正面端に接続される正面板１４８ｅとを備え、４つの固定脚１４４ｅは２つの側部板１４２ｅから下方向に突出する。２つの側部板１４２は、後部遮蔽要素１７６ｅの締め金部分１７６１ｅ上で締め金のために、その後部端上に締め金部分１４２１ｅが提供される。正面板１４８ｅは第１の開口１４８８ｅおよび第３の開口１４８９ｅを提供され、それらは互いに連通され、そしてそれぞれ第１の受容室１４５ｅおよび第３の受容室１６４ｅに相当する。正面板１４８ｅの中部は第１および第３の受容室１４５ｅおよび１６４ｅの内部に向かって延在する２つのＵ字型部分１４８１ｅを提供される。各Ｕ字型部分１４８１ｅは、それぞれ第１の受容室１４５ｅの頂部および第３の受容室１６４ｅの底部から、正面から後部への方向で、内側に延在する２つの弾性留め金腕１４８２ｅ、１４８３ｅを有する。各側部板１４２ｅは、第１の受容室１４５ｅの側部における第１の開口１４８８ｅから、正面から後部への方向に、内部へ延在し、曲がる２つの弾性留め金腕１４２５ｅを提供される。これらの弾性留め金腕１７１２ｅ、１４８２ｅ、１４８３ｅ、１４２５ｅは、係合強度を改善するため、第１の受容室１４５ｅ／第３の受容室１６４ｅ内のプラグ電気コネクタの異なる深さにおいて、異なる側部および位置で留め金可能である。
【０１３４】
第１の保留要素１５ｅは、第１の導電性端子１２ｅ、第２の導電性端子１３ｅ、および第５の導電性端子１６７ｅの溶接部分と嵌合され、導電性端子が曲がり、短絡するのを阻止する。
【０１３５】
図５２に示されるように、電源供給を備え、ＤＰ信号送信基準に合致する第１のケーブルコネクタは、レセプタクル電気コネクタ１ｅの第１の受容室１４５ｅに挿入可能である。第１のケーブルコネクタは、第１のプラグ電気コネクタ３（すなわち、第１の実施形態におけるプラグ電気コネクタ）、絶縁筐体４および第１のプラグ電気コネクタ３と接続されるケーブル５を備える。この時点で、第３の受容室１６４ｅ内の第５の嵌合室１４６１ｅが利用可能で、第６の嵌合室１４６２は占有されている。
【０１３６】
図５３〜５７に示されるように、電源供給を備え、ＨＤＭＩ信号送信標準に合致する第２のケーブルコネクタは、レセプタクル電気コネクタ１ｅの第３の受容室１６４ｅに挿入可能である。第２のケーブルコネクタは、第２のプラグ電気コネクタ３ｅ（すなわち、第２の実施形態におけるプラグ電気コネクタ）、絶縁筐体４ｅ、および第２のプラグ電気コネクタ３ｅに接続されるケーブル５ｅを備える。この時点で、第１の受容室１４５ｅ内の第１の嵌合室１４５１ｅは利用可能であり、第２の嵌合室１４５２ｅは占有されている。
【０１３７】
第２のプラグ電気コネクタ３ｅは、第２の絶縁体３１ｅ、第２の絶縁体３１ｅ上に載置される複数の第３の導電性端子３２ｅおよび電力を送信するための２つの第４の導電性端子３３ｅ、および第２の遮蔽筐体３４ｅを備える。
【０１３８】
第２の絶縁体３１ｅは、第２の本体部分３１１ｅおよび第２の本体部分３１１ｅの頂部から突出する第２の突起３１２ｅを備える。第２の本体部分３１１ｅは、その中部において第３の嵌合室３１７ｅを提供される。第３の嵌合室３１７ｅは、その上部および下部側部上で、複数の第３の受容スロット３１１１ｅを提供され、第２の突起３１２ｅは、その下部表面上で２つの第４の受容スロット３１２４ｅを提供される。
【０１３９】
複数の第３の導電性端子３２ｅは、それぞれ複数の第３の受容スロット３１１１ｅにアレンジされる。各第３の導電性端子３２ｅは、嵌合部分３２１ｅおよび溶接部分（図には表示されない）を備える。嵌合部分３２１ｅは弾性突起である。第３の嵌合室３１７ｅの上部側部上に配置される第３の導電性端子３２ｅの嵌合部分３２１ｅは、第３の嵌合室３１７ｅの下部側部上のものに対してオフセットされる。
【０１４０】
電力を送信するための２つの第４の導電性端子３３ｅは、それぞれ２つの第４の受容スロット３１２４ｅにアレンジされる。各第４の導電性端子３３ｅは、嵌合部分３３１ｅおよび溶接部分（図には示されない）を備える。嵌合部分３３１ｅは弾性突起である。
【０１４１】
第２の遮蔽筐体３４ｅは第２の絶縁体３１ｅの周囲を包囲し、第２の突起３１２ｅと共に第４の嵌合室３１８ｅで形成される。第４の導電性端子３３ｅの嵌合部分３３１ｅは、第４の受容スロット３１２４ｅから第４の嵌合室３１８ｅに向けて下方向に突出される。第４の嵌合室３１８ｅの正面縁は、第３の嵌合室３１７ｅの正面縁に対して前方に突出され（図５４および５６を参照）、従って、第４の嵌合室３１８ｅはレセプタクル電気コネクタ１ｅ内のより深い位置に配置される第２の舌１１３ｅと嵌合可能である。
【０１４２】
第４の遮蔽筐体３４ｅは、第１の遮蔽筐体１４ｅの、弾性留め金要素１７１ｅの弾性留め金腕１７１２ｅおよびＵ字型部分１４８１ｅの弾性留め金腕１４８３ｅに対して弾性的に当接し、第３の導電性端子３２ｅおよび第４の導電性端子３３ｅの嵌合部分は、第２のケーブルコネクタがレセプタクル電気コネクタ１ｅ内の第３の受容室１６４ｅに挿入されるとき、第５の導電性端子１６７ｅおよび第２の導電性端子１３ｅの嵌合部分１３ｅに対して弾性的に当接する。
【０１４３】
レセプタクル電気コネクタ１ｅの組み立て手順は以下のようになる。第１の導電性端子１２ｅ、第２の導電性端子１３ｅ、および第５の導電性端子１６７ｅを、後部から正面の方向で、第１の絶縁体１１ｅに挿入する。第１の保留要素１５ｅをそれらの導電性端子１２ｅ、１３ｅ、１６７ｅの溶接部分と整合し、第１の保留要素１５ｅを下部から上部への方向で挿入する。２つの保持部分１７２ｅを後部から正面の方向で第１の絶縁体１１ｅに挿入し、次に２つの弾性要素１７１ｅを正面から後部の方向で第１の絶縁体１１ｅに挿入する。そして最後に正面遮蔽要素１７５ｅと後部遮蔽要素１７６ｅを第１の絶縁体１１ｅ内へ載置する。
【０１４４】
従来型コネクタと比較し、本発明の第６の実施形態に従うレセプタクル電気コネクタ１ｅおよびプラグ電気コネクタ３ｅ（プラグ電気コネクタの第２の実施形態）は、以下の有利な効果を有する。第１の受容室１４５ｅおよび第３の受容室１６４ｅは第１の絶縁体１１ｅから陥没し、第１および第２の受容室の電力供給部分は重複し、従って、前述の受容室は改善された強度を有し、容易には破壊および変形されず、その第２の舌１１３は、２つの異なる種類の送信標準を備えるプラグ電気コネクタに電力を供給可能である。第４の嵌合室３１８ｅはレセプタクル電気コネクタ１ｅ内の比較的深い位置に配置される第２の舌１１３ｅと適切に嵌合可能であるが、これは、第４の嵌合室３１８ｅの正面縁は第３の嵌合室３１７ｅのものに対して前方へ突出されるからである。
【０１４５】
＜レセプタクル電気コネクタの第７の実施形態＞
【０１４６】
本発明に従う、図５８〜６２に示されるレセプタクル電気コネクタの第７の実施形態は、追加電源供給を備える２つの積み重ねられたＨＰＤＰ（高出力ディスプレイポート）レセプタクル開口を備える。図６２に示されるように、レセプタクル電気コネクタ１ｆは第１の絶縁体１１ｆを備え、複数の第１の導電性端子１２ｆ、２つの第２の導電性端子１３ｆ、複数の第５の導電性端子１６７ｆ、および２つの第６の導電性端子１６８ｆが第１の絶縁体１１ｆ上に載置され、２つの弾性留め金要素１７１ｆおよび４つの保持部分１７２ｆが第１の絶縁体１１ｆ上に載置され、第１の遮蔽筐体１４ｆが第１の絶縁体１１ｆ上に載置され、そして第１の保留要素１５ｆが第１の絶縁体１１ｆの後端の底部上に載置される。
【０１４７】
図６０に示されるように、第１の絶縁体１１ｆは、第１の本体部分１１１ｆを備え、第１の舌１１２ｆおよび第２の舌１１３ｆは第１の本体１１１ｆから前方に延在し、第３の本体部分１６１ｆは第１の本体部分１１１ｆから上方向へ延在し（他の実施形態においては、第３の本体部分は第１の本体部分から水平方向に延在、または下方向に延在し得る）、第３の舌１６２ｆおよび第４の舌１６３ｆは第３の本体部分１６１ｆから前方に延在し、そしてスペーサ部分１７７ｆは第１の本体部分１１１ｆと第３の本体部分１６１ｆとの間に配置される。
【０１４８】
図５９を参照すると、第１の絶縁体１１ｆはそこに陥没する第１の受容室１４５ｅを提供される。第１の受容室１４５ｆ（ＨＰＤＰインターフェース）は小上部部分および大下部部分を備える形状を有し、上部および下部方向において、互いに積み重ねられ、連通される第１の嵌合室１４５１ｆと第２の嵌合室１４５２ｆを備える。第１の舌１１２ｆは、標準ＤＰ（ディスプレイポート）が挿入される第１の嵌合室１５４１ｆ内に配置される。第１の舌１１２ｆは板状の基部１１２１ｆおよび、それぞれ基部１１２１ｆの左および右側部縁から下方向に突出する２つの誤栓阻止リブ１１２２ｆを備える。第２の舌１１３ｆは、第２の嵌合室１４５２ｆ内に配置される。第２の嵌合室１４５２ｆは第１の嵌合室１４５１ｆの上に配置され、第１の嵌合室１４５１ｆよりずっと小さい幅を有する。
【０１４９】
同様に、第１の絶縁体１１ｆは、その中に陥没する第３の受容室１６４ｆを提供される。第３の受容室１６４ｆ（ＨＰＤＰインターフェースも）は小上部部分および大下部部分を備える形状を有し、上部および下部方向において積み重ねられ、互いに連通される第５の嵌合室１６４１ｆと第６の嵌合室１６４２ｆを備える。第３の舌１６２ｆは、標準ＤＰプラグが挿入可能な第５の嵌合室１６４１ｆ内に配置される。第４の舌１６３ｆは、第６の嵌合室１６４２ｆ内に配置される。第６の嵌合室１６４２ｆは第５の嵌合室１６４１ｆの上に配置され、第５の嵌合室１６４１ｆよりずっと小さい幅を有する。第３の受容室１６４ｆは、スペーサ部分１７７ｆによって第１の受容室１４５ｆから分離される。
【０１５０】
第１の舌１１２ｆの基部１１２１ｆは、互いに対向する第１の表面１１２８ｆおよび第２の表面１１２９ｆを備える。第１の表面１１２８ｆは上方向に面するように構成され、第２の表面１１２９ｆは下方向に面するように構成される。各第１および第２の表面１１２８ｆおよび１１２９ｆは、複数の第１の受容スロット１１２３ｆを提供される。
【０１５１】
第１および第２の舌１１２ｆおよび１１３ｆは、互いに平行となるように構成され、上部および下部関係にアレンジされる。第１の舌１１２ｆは第２の舌１１３ｆのＷ２より大きい幅Ｗ１を有する。
【０１５２】
第２の受容スロット１１３１ｆ、１１３２ｆは、第２の舌１１３ｆの下部表面内に提供される。
【０１５３】
第１および第２の舌１１２ｆおよび１１３ｆと同様に、第３の舌１６２ｆも、互いに対向する第１の表面１６２８ｆおよび第２の表面１６２９ｆを備える。各第１および第２の表面１６２８ｆおよび１６２９ｆは、複数の第５の受容スロット１６２１ｆを提供される。第３の舌１６２ｆは、標準ＤＰタイププラグ電気コネクタと嵌合可能である。
【０１５４】
第４および第３の舌１６３ｆおよび１６２ｆは、互いに平行となるように構成され、上部および下部関係にアレンジされる。第３の舌１６２ｆは第４の舌１６３ｆのＷ４より大きい幅Ｗ３を有する。
【０１５５】
２つの第６の受容スロット１６３１ｆは第４の舌１６３ｆの下部表面内に提供される。
【０１５６】
各第１導電性端子１２ｆは板状の嵌合部分１２１ｆおよび溶接部分１２２ｆを有する。第１導電性端子１２ｆの嵌合部分１２１ｆは、高精細映像信号を送信するための、第１の舌１１２ｆの第１の受容スロット１１２３ｆ内に受容される。第１の舌１１２ｆの上部表面１１２８ｆ上に配置される第１の導電性端子１２ｆの嵌合部分１２１ｆは、第１の舌１１２ｆの下部表面１１２９ｆ上のものに対してオフセットされ、すなわち、上部列の嵌合部分１２１ｆは下部列のものとは面せず、整合されない。
【０１５７】
図６１および６２も参照すると、各第２の導電性端子１３ｆは板状の嵌合部分１３１ｆと溶接部分１３２ｆを備える。一方の第２の受容スロット１１３１ｆ内に受容される一方の第２の導電性端子１３ｆは電源の負極と接続するために使用され、他方の第２の受容スロット１１３２ｆ内に受容される他方の第２の導電性端子１３ｆは、電源の正極と接続するために使用される。電源の負極と接続される一方の第２の導電性端子１３ｆの嵌合部分１３１ｆの末端は、電源の正極と接続される他方の第２の導電性端子１３ｆの嵌合部分１３１ｆの末端と比較して、第２の舌１１３ｆの正面により近い位置において配置される。２つの第２の導電性端子１３ｆは、表示装置によって必要とされる電力を送信するために使用され、表示装置の１本の別個の電源ケーブルを節約する。さらに、２つの溶接部分１３２ｆ間の距離は、２つの第２の導電性端子１３ｆの２つの嵌合部分１３１ｆ間の距離よりも大きい。
【０１５８】
図６０に示されるように、各第５の導電性端子１６７ｆは第１の導電性端子１２ｆと比較して類似した構造および機能を有し、板状の嵌合部分１６７１ｆと溶接部分１６７２ｆを備える。第５の導電性端子１６７ｆの嵌合部分１６７１ｆは、高精細映像信号を送信するために第３の舌１６２ｆの第５の受容スロット１６２１ｆ内に受容される。第３の舌１６２ｆの上部表面１６２８ｆ上に配置される第１の導電性端子１６７ｆの嵌合部分１６７１ｆは、上部および下部方向において第３の舌１６２ｆの下部表面１６２９ｆ上のものに対してオフセットされ、すなわち、上部列内の嵌合部分１６７１ｆは下部列内のものとは面せず、整合されない。
【０１５９】
各第６の導電性端子１６８ｆは第２の導電性端子１３ｆと比較して、類似する構造および機能を有し、板状の嵌合部分１６８１ｆと溶接部分１６８２ｆを備える。一方の第２の導電性端子１６８ｆは電源の負極と接続するために使用され、他方の第２の導電性端子１６８ｆは、電源の正極と接続するために使用される。電源の負極と接続される一方の第６の導電性端子１６８ｆの嵌合部分１６８１ｆの末端は、電源の正極に接続される他方の第６の導電性端子１６８ｆの嵌合部分１６８１ｆの末端と比較して、第４の舌１６３ｆの正面により近い位置に配置される。
【０１６０】
図６０および６２も参照すると、２つの弾性留め金要素１７１ｆは、それぞれ第１の受容室１４５ｆおよび第３の受容室１６４ｆの底部上に載置される。各弾性留め金要素１７１ｆは、第１の絶縁体１１ｆ上に配置される載置部分１７１１ｆおよび２つの弾性留め金腕１７１２ｆを有する。詳細には、載置部分１７１１ｆはロックユニット１７１５ｆと２つの留め金ユニット１７１６ｆを備える。ロックユニット１７１５ｆの正面端は、第１の絶縁体１１ｆを留め金するための鉤１７１７ｆを有し、留め金ユニット１７１６ｆの後部端は第１の絶縁体１１ｆ内に挿入されるための留め金部分１７１８ｆを提供される。
【０１６１】
図６１および６２を参照すると、２つの保持部分１７２ｆが第１の受容室１４５ｆ内の第１の嵌合室１４５１ｆの頂部上に載置され、２つの保持部分１７２ｆは、第３の受容室１６４ｆ内の第５の嵌合室１６４１ｆの頂部上に載置される。各保持部分１７２ｆの後部端は、第１の絶縁体１１ｆ上に固定されるための保持部分１７２１ｆを提供され、各保持部分１７２ｆの正面端は、嵌合電気コネクタ内の鉤（図には示されない）と合わせるための保持穴１７２２ｆを提供される。
【０１６２】
図６１および６２を参照すると、第１の遮蔽筐体１４ｆは金属板をプレスすることによって形成され、互いに留め金された正面遮蔽要素１７５ｆと後部遮蔽要素１７６ｆにより形成される。正面遮蔽要素１７５ｆは、頂部板１４１ｆ、頂部板１４１ｆの左および右側部から下方向に曲がり、延在する２つの側部板１４２ｆ、頂部板１４１ｆおよび２つの側部板１４２ｆの正面端に接続される正面板１４８ｆを備え、４つの固定脚１４４ｆは２つの側部板１４２ｆから下方向に突出する。正面板１４８ｆは、それぞれ第１の受容室１４５ｆおよび第３の受容室１６４ｆに相当する第１の開口１４８８ｆおよび第２の開口１４８９ｆを提供される。正面板１４８ｆは、それぞれ第１の受容室１４５ｆおよび第３の受容室１６４ｆの頂部において表面から後部の方向で内方向に延在する２つの弾性留め金腕１４８４ｆを提供される。各２つの側部板１４２ｆは、第１の受容室１４５ｆの側部において第１の開口１４８８ｆから正面から後部への方向で内方向に延在し、曲がる弾性留め金腕１４２５ｆを提供される。第１の遮蔽筐体１４ｆは、第１の舌１１２ｆ、第２の舌１１３ｆ、第３の舌１６２ｆ、および第４の舌１６３ｆを包囲し、電磁遮蔽を達成する。
【０１６３】
これらの弾性留め金腕１７１２ｆ、１４８４ｆ、１４２５ｆは、係合強度を改善するため、第１の受容室１４５ｆ／第３の受容室１６４ｆ内のプラグ電気コネクタの異なる深さにおける異なる側部および位置において留め金可能である。
【０１６４】
第１の保留要素１５ｆは第１の導電性端子１２ｆ、第２の導電性端子１３ｆ、第５の導電性端子１６７ｆ、および第６の導電性端子１６８ｆと嵌合し、導電性端子の溶接部分が曲がるのを阻止する。
【０１６５】
レセプタクル電気コネクタ１ｆの組み立て手順は、以下の通りである。第１の導電性端子１２ｆ、第２の導電性端子１３ｆ、第５の導電性端子１６７ｆ、および第６の導電性端子１６８ｆを、後部から正面の方向で第１の絶縁体１１ｆ内に挿入する。第１の保留要素１５ｆをこれらの導電性端子の溶接部分と整合し、第１の保留要素１５ｆを下部から上部の方向で挿入する。第４の保持部分１７２ｆを後部から正面への方向で第１の絶縁体１１ｆ内に挿入し、２つの弾性要素１７１ｆを後部から正面の方向で第１の絶縁体１１ｆに挿入する。そして最後に正面遮蔽要素１７５ｆと後部遮蔽要素１７６ｆを第１の絶縁体１１ｆ内に載置する。
【０１６６】
１つのレセプタクル電気コネクタ１が前述の実施形態においては２つのＨＰＤＰレセプタクル開口を提供されているが、レセプタクル電気コネクタ１は１つまたは３つ、またはそれ以上のＨＰＤＰレセプタクル開口を提供され得ることに注目すべきである。
【０１６７】
＜レセプタクル電気コネクタの第８の実施形態＞
【０１６８】
本発明に従い、図６３〜６５に示されるレセプタクル電気コネクタ１ｇの第８の実施形態は、第１の絶縁体１１ｇを備え、複数の第１の導電性端子１２ｇ、２つの導電性端子１３ｇ、複数の第２の導電性端子１６７ｇ、および２つの第６の導電性端子１６８ｇが第１の絶縁体１１ｇ上に載置され、２つの弾性留め金要素１７１ｇおよび２つの保持要素が第１の絶縁体１１ｇ上に載置され、第１の遮蔽筐体１４ｇが第１の絶縁体１１ｇを覆い、第１の保留要素１５ｇが第１の絶縁体１１ｇの後端の底部上に載置される。
【０１６９】
レセプタクル電気コネクタ１ｇの構造は概して前述の第７の実施形態のものに類似しているが、違う点は、レセプタクル電気コネクタ１ｇの上部上に追加電源供給を備えたＨＤＭＩレセプタクル開口（第３の受容室１６４ｇに相当）が存在することである。レセプタクル電気コネクタ１ｇの下部上のＨＰＤＰレセプタクル開口（第１の受容室１４５ｇに相当）の構造は、前述の実施形態で述べたものと同一であり、したがってその記述は省略される。
【０１７０】
図６４で示されるように、第１の絶縁体１１ｇが、その中に陥没する第３の受容室１６４ｇを提供される。第３の受容室１６４ｇは小上部部分および大下部部分を備えた形状を有し、追加電源供給を備え、ＨＤＭＩ転送プロトコルを満足させる第３のケーブルコネクタを受容する（図６６に示されるように）。第３の受容室１６４ｇは、上部および下部方向において互いに積み重ねられ、連通される第５の嵌合室１６４１ｇおよび第６の嵌合室１６４２ｇを備える。第３の舌１６２ｇは、標準ＨＤＭＩタイププラグが挿入可能な第５の嵌合室１６４１ｇ内に配置される。第４の舌１６３ｇは、第６の嵌合室１６４２ｇ内に配置される。第６の嵌合室１６４２ｇは第５の嵌合室１６４１ｇの上に配置され、第５の嵌合室１６４１ｇよりもずっと小さい幅を有する。第３の舌１６２ｇは、互いに対向する第１の表面１６２８ｇと第２の表面１６２９ｇも備える。第１の表面１６２８ｇは上方向に面するように構成され、第２の表面１６２９ｇは下方向に面するように構成される。各第１および第２の表面１６２８ｇと１６２９ｇは、複数の第５の受容スロット１６２１ｇを提供される。第３の舌１６２ｇは、標準ＨＤＭＩタイププラグ電気コネクタと嵌合可能である。
【０１７１】
第４および第３の舌１６３ｇおよび１６２ｇは、互いに平行となるように構成され、上部および下部関係にアレンジされる。第３の舌１６２ｇは第４の舌１６３ｇのＷ４より大きな幅Ｗ３を有する。
【０１７２】
２つの第６の受容スロット１６３１ｇは第４の舌１６３ｇの下部表面内に提供される。
【０１７３】
各第５の導電性端子１６７ｇは、板形状の嵌合部分１６７１ｇおよび溶接部分１６７２ｇを備える。第５の導電性端子１６７ｇの嵌合部分１６７１ｇは、高精細映像信号を送信するため、ＨＤＭＩインターフェース標準に従う第３の舌１６２ｇの第５の受容スロット１６２１ｇ内に受容される。第３の舌１６２ｇの上部表面１６２８ｇ上に配置される第１の導電性端子１６７ｇの嵌合部分１６７１ｇは、上部および下部方向において、第３の舌１６２ｇの下部表面１６２９ｇ上のものに対してオフセットされる。
【０１７４】
各第６の導電性端子１６８ｇは、板状の嵌合部分１６８１ｇおよび溶接部分１６８２ｇを備える。一方の第２の導電性端子１６８ｇは電源の負極と接続するために使用され、他方は電源の正極と接続するために使用される。２つの第２の導電性端子１６８ｇは表示装置によって必要とされる電力を送信するために使用され、表示装置の一本の別個の電源ケーブルを節約する。
【０１７５】
図６３に示されるように、弾性留め金要素１７１ｆと同一の２つの弾性留め金要素１７１ｇは、それぞれ第１の受容室１４５ｇおよび第３の受容室１６４ｇの底部上に載置される。
【０１７６】
レセプタクル電気コネクタ１ｇの組み立て手順は、レセプタクル電気コネクタ１ｆのものと類似しており、その記述は省略される。
【０１７７】
追加電源供給を備えた第３のケーブルコネクタを示す図６６〜６８を参照されたい。第３のケーブルコネクタは第８の実施形態に従う第３の受容室１６４ｇと嵌合するように適合化され、ＨＤＭＩ転送プロトコルを満足させる。第３のケーブルコネクタは、プラグ電気コネクタ３ｇ（本発明に従うプラグ電気コネクタの第３の実施形態）、プラグ電気コネクタ３ｇと電気的に接続されるケーブル５ｇ、およびプラグ電気コネクタ３ｇとケーブル５ｇの間で接続位置の周囲を覆う絶縁筐体４ｇを備える。嵌合プラグ３ｇは、ＨＤＭＩインターフェース標準を満足させる第３の嵌合室３１７ｇならびに第４の嵌合室３１８ｇを有する。第３の舌１６２ｇは、ＨＤＭＩ送信標準を満足させる高精細信号を送信するための第３の嵌合室３１７ｇ内に挿入可能であり、そして第４の舌１６３ｇを、電力を送信するために第４の嵌合室３１８ｇ内に挿入可能であり、プラグ電気コネクタ３ｇが第８の実施形態のレセプタクル電気コネクタ１ｇと嵌合されたとき、表示装置の電力要件が満足される。
【０１７８】
＜レセプタクル電気コネクタの第９の実施形態＞
【０１７９】
本発明に従う、図６９〜７２に示されるレセプタクル電気コネクタ１ｈの第９の実施形態は、第１の絶縁体１１ｈを備え、複数の第１の導電性端子１２ｈ、２つの第２の導電性端子１３ｈ、および複数の第５の導電性端子１６７ｈが第１の絶縁体１１ｈ上に載置され、弾性留め金要素１７１ｈ、２つの保持要素１７２ｈ、絶縁固定要素１６８ｈ、および第３の遮蔽筐体１６９ｈが第１の絶縁体１１ｈ上に載置され、第１の遮蔽筐体１４ｈは第１の絶縁体１１ｈを覆い、そして第１の保留要素１５ｈが第１の絶縁体１１ｈの後端の底部上に載置される。
【０１８０】
レセプタクル電気コネクタ１ｈの構造は、レセプタクル電気コネクタの前述の第７の実施形態のものと類似しているが、違う点は、レセプタクル電気コネクタ１ｈの上部上にはＵＳＢ３．０レセプタクル開口（第３の受容室１６４ｈに相当する）が存在する。レセプタクル電気コネクタ１ｈの下部上の、ＨＰＤＰレセプタクル開口（第１の受容室１４５ｈに相当する）は、第７の実施形態のＨＰＤＰレセプタクル開口と同一であり、その記述は省略される。
【０１８１】
図７０に示されるように、第１の絶縁体１１ｈは、その中に陥没する第３の受容室１６４ｈを提供される。第３の受容室１６４ｈは長方形の形状を有し、第３の舌１６２ｈが配置される第５の嵌合室１６４１ｈを備える。標準ＵＳＢ３．０タイプを第５の嵌合室１６４１ｈ内に挿入可能である。
【０１８２】
複数の第５の受容スロット１６２１ｈは、標準ＵＳＢ３．０プラグ電気コネクタと嵌合可能な第３の舌１６２ｈ内に提供される。
【０１８３】
図７２に示されるように、第１の絶縁体１１ｈは、第３の受容室１６４ｈの近くの側部上に留め金部分１１１１ｈで形成される。詳細には、各留め金部分１１１１ｈは第１の絶縁体１１ｈの２つの側部上に形成される溝１１１２ｈから突出される留め金妨害１１１３ｈを備える。
【０１８４】
各第５の導電性端子１６７ｈは嵌合部分１６７１ｈと溶接部分１６７２ｈを備える。第５の導電性端子１６７ｈの嵌合部分１６７１ｈは、第３の舌１６７ｈの第５の受容スロット１６２１ｈ内に提供される。
【０１８５】
絶縁固定要素１６８ｈは第３の舌１６３ｈの正面端上に載置され、第５の導電性端子１６７ｈの正面および後部列間の分離を実現する。
【０１８６】
第３の遮蔽筐体１６９ｈは第３の受容室１６４ｈ内に載置され、それぞれその２つの側部から外方向に曲がり、次に後ろ方向に曲がる２つの締め金部分１６９１ｈを有する。詳細には、締め金部分１６９１ｈはその側部から外方向および後ろ方向に曲がる締め金腕１６９２ｈ、ならびに締め金腕１６９２ｈ内に提供される締め金穴１６９３ｈを備える。締め金腕１６９２ｈは第１の絶縁体１１ｈの留め金部分１１１１ｈ内の溝１１２ｈに相当し、第３の遮蔽筐体１６９ｈが第３の受容室１６４ｈ内に挿入されるとき、締め金穴１６９３ｈは留め金妨害１１１３ｈと嵌合される。
【０１８７】
レセプタクル電気コネクタ１ｈの組み立て手順は以下の通りである。第１の導電性端子１２ｈ、第２の導電性端子１３ｈ、および第５の導電性端子１６７ｈを後部から正面の方向で第１の絶縁体１１ｈ内に挿入し、そして絶縁固定要素１６８ｈを第３の舌１６２ｈの正面端内に載置する。第３の遮蔽筐体１６９ｈを正面から後部の方向で第３の受容室１６４ｈ内に載置する。第１の保留要素１５ｈをそれらの導電性端子の溶接部分と整合し、そして第１の保留要素１５ｈを下部から上部の方向に挿入する。２つの保持部分１７２ｈを後部から正面の方向で第１の絶縁体１１ｈ内に挿入し、次に２つの弾性要素１７１ｈを正面から後部の方向で第１の絶縁体１１ｈ内に挿入する。そして最後に正面遮蔽筐体１７５ｈと後部遮蔽要素１７６ｈを第１の絶縁体１１内に載置する。
【０１８８】
従来型コネクタと比べ、本発明の第７、第８および第９の実施形態に従うレセプタクル電気コネクタ１ｆ、１ｇ、１ｈは、第１の実施形態における効果に加え、以下の有利な効果を有する。第１の受容室１４５ｆ、１４５ｇ、１４５ｈは第１の絶縁体１１ｆ、１１ｇ、１１ｈ、から陥没しており、したがって、前述のように形成された受容室は改善された強度を有し、容易には破壊および変形されない。さらに、第３の受容室１６４ｆ、１６４ｇ、１６４ｈは第１の絶縁体１１ｆ、１１ｇ、１１ｈから陥没しており、したがって、電気コネクタの２つの同一のまたは異なるレセプタクル開口は互いに組み合わせ可能で、コネクタの機能を増加する。
【０１８９】
本出願の好ましい実施形態が、本発明を限定するためではなく示され、そして記述されたが、当業者は前述の明細書および添付された特許請求の範囲の趣旨および範囲に従ってさまざまな修正を容易に工夫し得ることは想像される。
【図１】
0005873173.tif 000002
【図２】
0005873173.tif 000003
【図３】
0005873173.tif 000004
【図４】
0005873173.tif 000005
【図５】
0005873173.tif 000006
【図６】
0005873173.tif 000007
【図７】
0005873173.tif 000008
【図８】
0005873173.tif 000009
【図９】
0005873173.tif 000010
【図１０】
0005873173.tif 000011
【図１１】
0005873173.tif 000012
【図１２】
0005873173.tif 000013
【図１３】
0005873173.tif 000014
【図１４】
0005873173.tif 000015
【図１５】
0005873173.tif 000016
【図１６】
0005873173.tif 000017
【図１７】
0005873173.tif 000018
【図１８】
0005873173.tif 000019
【図１９】
0005873173.tif 000020
【図２０】
0005873173.tif 000021
【図２１】
0005873173.tif 000022
【図２２】
0005873173.tif 000023
【図２３】
0005873173.tif 000024
【図２４】
0005873173.tif 000025
【図２５】
0005873173.tif 000026
【図２６】
0005873173.tif 000027
【図２７】
0005873173.tif 000028
【図２８】
0005873173.tif 000029
【図２９】
0005873173.tif 000030
【図３０】
0005873173.tif 000031
【図３１】
0005873173.tif 000032
【図３２】
0005873173.tif 000033
【図３３】
0005873173.tif 000034
【図３４】
0005873173.tif 000035
【図３５】
0005873173.tif 000036
【図３６】
0005873173.tif 000037
【図３７】
0005873173.tif 000038
【図３８】
0005873173.tif 000039
【図３９】
0005873173.tif 000040
【図４０】
0005873173.tif 000041
【図４１】
0005873173.tif 000042
【図４２】
0005873173.tif 000043
【図４３】
0005873173.tif 000044
【図４４】
0005873173.tif 000045
【図４５】
0005873173.tif 000046
【図４６】
0005873173.tif 000047
【図４７】
0005873173.tif 000048
【図４８】
0005873173.tif 000049
【図４９】
0005873173.tif 000050
【図５０】
0005873173.tif 000051
【図５１】
0005873173.tif 000052
【図５２】
0005873173.tif 000053
【図５３】
0005873173.tif 000054
【図５４】
0005873173.tif 000055
【図５５】
0005873173.tif 000056
【図５６】
0005873173.tif 000057
【図５７】
0005873173.tif 000058
【図５８】
0005873173.tif 000059
【図５９】
0005873173.tif 000060
【図６０】
0005873173.tif 000061
【図６１】
0005873173.tif 000062
【図６２】
0005873173.tif 000063
【図６３】
0005873173.tif 000064
【図６４】
0005873173.tif 000065
【図６５】
0005873173.tif 000066
【図６６】
0005873173.tif 000067
【図６７】
0005873173.tif 000068
【図６８】
0005873173.tif 000069
【図６９】
0005873173.tif 000070
【図７０】
0005873173.tif 000071
【図７１】
0005873173.tif 000072
【図７２】
0005873173.tif 000073